(57)【特許請求の範囲】
【請求項１】
コンテンツが符号化されて得られる符号列の一部が再生可能とされた試し視聴用のデータを供給するコンテンツ供給センタと、
上記コンテンツ供給センタからの試し視聴用のデータを受信し、受信された試し視聴用のデータを蓄積手段に蓄積し、蓄積手段に蓄積された複数の上記試し視聴用のデータを再生する受信再生装置とを有し、
上記コンテンツ供給センタは、上記受信再生装置に対して、試し視聴用のデータの再生を制御する再生制御情報を上記試し視聴用のデータを高品質化するためのコンテンツ追加データの一部と共に送り、
上記受信再生装置は、上記コンテンツ供給センタからの再生制御情報及び上記コンテンツ追加データの一部に応じて上記蓄積手段に蓄積された複数の上記試し視聴用のデータの再生が制御される
コンテンツ供給システム。
【請求項２】
上記受信再生装置は、試し視聴用のデータを再生中に上記コンテンツ供給センタに高品質化の要求を送ることにより対応するコンテンツの試し視聴用のデータを高品質化するためのコンテンツ追加データが上記コンテンツ供給センタから供給される
請求項１記載のコンテンツ供給システム。
【請求項３】
上記試し視聴用のデータは、コンテンツが符号化されて得られる所定フォーマットの符号列の一部の情報がダミーデータに置き換えられた第１の符号列のデータであり、
上記コンテンツ追加データは、上記第１の符号列の上記ダミーデータの部分を補完する第２の符号列のデータである
請求項２記載のコンテンツ供給システム。
【請求項４】
上記コンテンツの符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記量子化精度情報、上記正規化係数情報、及び上記スペクトル係数情報の内の少なくとも１つの情報の一部に対応するダミーデータである
請求項３記載のコンテンツ供給システム。
【請求項５】
上記ダミーデータは、上記量子化精度情報、上記正規化係数情報、及び上記スペクトル係数情報の内の少なくとも１つの情報の高域側の情報に対応するダミーデータである請求項４記載のコンテンツ供給システム。
【請求項６】
上記試し視聴用のデータは、コンテンツが符号化されて得られる符号列の一部の情報が暗号化されたものであり、
上記コンテンツ追加データは、上記符号列の一部の情報の暗号化を復号する鍵情報のデータである
請求項２記載のコンテンツ供給システム。
【請求項７】
コンテンツが符号化されて得られる符号列の一部が再生可能とされた試し視聴用のデータを供給するコンテンツ供給センタからの試し視聴用のデータを上記試し視聴用のデータを高品質化するためのコンテンツ追加データの一部と共に受信する受信手段と、
受信された試し視聴用のデータを蓄積する蓄積手段と、
この蓄積手段に蓄積された複数の上記試し視聴用のデータを再生する再生手段とを有し、
上記再生手段は、上記コンテンツ供給センタからの再生制御情報及び上記コンテンツ追加データの一部に応じて試し視聴用のデータの再生が制御される
コンテンツ受信再生装置。
【請求項８】
上記試し視聴用のデータを再生中に上記コンテンツ供給センタに高品質化の要求を送る送信手段を有し、
この要求を上記コンテンツ供給センタに送ることにより対応するコンテンツの試し視聴用のデータを高品質化するためのコンテンツ追加データが上記コンテンツ供給センタから供給される
請求項７記載のコンテンツ受信再生装置。
【請求項９】
上記試し視聴用のデータは、コンテンツが符号化されて得られる所定フォーマットの符号列の一部の情報がダミーデータに置き換えられた第１の符号列のデータであり、
上記コンテンツ追加データは、上記第１の符号列の上記ダミーデータの部分を補完する第２の符号列のデータである
請求項８記載のコンテンツ受信再生装置。
【請求項１０】
上記コンテンツの符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記量子化精度情報、上記正規化係数情報、及び上記スペクトル係数情報の内の少なくとも１つの情報の一部に対応するダミーデータである
請求項９記載のコンテンツ受信再生装置。
【請求項１１】
上記ダミーデータは、上記量子化精度情報、上記正規化係数情報、及び上記スペクトル係数情報の内の少なくとも１つの情報の高域側の情報に対応するダミーデータである請求項１０記載のコンテンツ受信再生装置。
【請求項１２】
上記試し視聴用のデータは、コンテンツが符号化されて得られる符号列の一部の情報が暗号化されたものであり、
上記コンテンツ追加データは、上記符号列の一部の情報の暗号化を復号する鍵情報のデータである
請求項８記載のコンテンツ受信再生装置。
【請求項１３】
コンテンツが符号化されて得られる符号列の一部が再生可能とされた試し視聴用のデータを供給するコンテンツ供給センタからの試し視聴用のデータを上記試し視聴用のデータを高品質化するためのコンテンツ追加データの一部と共に受信する受信工程と、
受信された試し視聴用のデータを蓄積手段に蓄積する工程と、
上記蓄積手段に蓄積された複数の上記試し視聴用のデータを再生する再生工程とを有し、
上記再生工程においては、上記コンテンツ供給センタからの再生制御情報及び上記コンテンツ追加データの一部に応じて試し視聴用のデータが再生制御される
コンテンツ受信再生方法。
【発明の詳細な説明】
【０００１】
【発明の属する技術分野】
本発明は、コンテンツ供給システム並びにコンテンツ受信再生装置及び方法に関するものであり、特に、試し視聴が可能なように符号化された信号を再生し、試し視聴者が購入を決めれば、少ない情報量のデータを追加して高品質での再生や記録を可能とするようなコンテンツ供給システム並びにコンテンツ受信再生装置及び方法に関するものである。
【０００２】
【従来の技術】
例えば音響などの信号を暗号化して放送したり、記録媒体に記録して、鍵を購入した者に対してのみ、その視聴を許可するというソフトの流通方法が知られている。暗号化の方法としては例えば、ＰＣＭの音響信号のビット列に対して鍵信号として乱数系列の初期値を与え、発生した０／１の乱数系列と上記ＰＣＭのビット列との排他的論理和をとったビット列を送信したり記録媒体に記録する方法が知られている。この方法を使用することにより、鍵信号を入手した者のみがその音響信号を正しく再生できるようにし、鍵信号を入手しなかった者は雑音しか再生できないようにすることができる。もちろん、暗号化方法としては、より複雑な方法を用いることも可能である。
【０００３】
一方、音響信号を圧縮して放送したり、記録媒体に記録する方法が、普及しており、符号化されたオーディオ或いは音声等の信号を記録可能な光磁気ディスク等の記録媒体が広く使用されている。
【０００４】
オーディオ或いは音声等の信号の高能率符号化の手法には種々あるが、例えば、時間軸上のオーディオ信号等をブロック化しないで、複数の周波数帯域に分割して符号化する非ブロック化周波数帯域分割方式である、帯域分割符号化（サブ・バンド・コーディング：ＳＢＣ）や、時間軸の信号を周波数軸上の信号に変換（スペクトル変換）して複数の周波数帯域に分割し、各帯域毎に符号化するブロック化周波数帯域分割方式、いわゆる変換符号化等を挙げることができる。また、上述の帯域分割符号化と変換符号化とを組み合わせた高能率符号化の手法も考えられており、この場合には、例えば、上記帯域分割符号化で帯域分割を行った後、該各帯域毎の信号を周波数軸上の信号にスペクトル変換し、このスペクトル変換された各帯域毎に符号化が施される。
【０００５】
ここで上述したフィルタとしては、例えばＱＭＦフィルタがあり、このＱＭＦフィルタについては、文献「1976, R.E.Crochiere, Digital coding of speech in subbands, Bell Syst. Tech. J. Vol.55, No.8, 1976」 に述べられている。また、文献「ICASSP 83, BOSTON, Polyphase Quadrature filters-A new subband coding technique, Joseph H. Rothweiler」には、等バンド幅のフィルタ分割手法が述べられている。
【０００６】
ここで、上述したスペクトル変換としては、例えば、入力オーディオ信号を所定単位時間(フレーム)でブロック化し、当該ブロック毎に離散フーリエ変換（ＤＦＴ）、コサイン変換（ＤＣＴ）、モディファイドＤＣＴ変換（ＭＤＣＴ）等を行うことで時間軸を周波数軸に変換するようなスペクトル変換がある。ＭＤＣＴについては、文献「ICASSP, 1987, Subband/Transform Coding Using Filter Bank Designs Based on Time Domain Aliasing Cancellation, J.P.Princen, A.B.Bradley, Univ. of Surrey Royal Melbourne Inst. of Tech.」 に述べられている。
【０００７】
波形信号をスペクトルに変換する方法として、上述のＤＦＴやＤＣＴを使用した場合には、Ｍ個のサンプルからなる時間ブロックで変換を行うとＭ個の独立な実数データが得られる。時間ブロック間の接続歪みを軽減するために、通常、両隣のブロックとそれぞれＭ１個のサンプルずつオーバーラップさせるので、平均して、ＤＦＴやＤＣＴでは（Ｍ−Ｍ１）個のサンプルに対してＭ個の実数データを量子化して符号化することになる。
【０００８】
これに対してスペクトルに変換する方法として上述のＭＤＣＴを使用した場合には、両隣の時間とＭ個ずつオーバーラップさせた２Ｍ個のサンプルから、独立なＭ個の実数データが得られるので、平均して、ＭＤＣＴではＭ個のサンプルに対してＭ個の実数データを量子化して符号化することになる。復号装置においては、このようにしてＭＤＣＴを用いて得られた符号から各ブロックにおいて逆変換を施して得られた波形要素を互いに干渉させながら加え合わせることにより、波形信号を再構成することができる。
【０００９】
一般に変換のための時間ブロックを長くすることによって、スペクトルの周波数分解能が高まり、特定のスペクトル成分にエネルギーが集中する。したがって、両隣のブロックと半分ずつオーバーラップさせて長いブロック長で変換を行い、しかも得られたスペクトル信号の個数が、元の時間サンプルの個数に対して増加しないＭＤＣＴを使用することにより、ＤＦＴやＤＣＴを使用した場合よりも効率の良い符号化を行うことが可能となる。また、隣接するブロック同士に十分長いオーバーラップを持たせることによって、波形信号のブロック間歪みを軽減することもできる。
【００１０】
このようにフィルタやスペクトル変換によって帯域毎に分割された信号を量子化することにより、量子化雑音が発生する帯域を制御することができ、マスキング効果などの性質を利用して聴覚的により高能率な符号化を行なうことができる。また、ここで量子化を行なう前に、各帯域毎に、例えばその帯域における信号成分の絶対値の最大値で正規化を行なうようにすれば、さらに高能率な符号化を行なうことができる。
【００１１】
周波数帯域分割された各周波数成分を量子化する場合の周波数分割幅としては、例えば人間の聴覚特性を考慮した帯域分割が行われる。すなわち、一般に臨界帯域（クリティカルバンド）と呼ばれている高域程帯域幅が広くなるような帯域幅で、オーディオ信号を複数（例えば２５バンド）の帯域に分割することがある。また、この時の各帯域毎のデータを符号化する際には、各帯域毎に所定のビット配分或いは、各帯域毎に適応的なビット割当て（ビットアロケーション）による符号化が行われる。例えば、上記ＭＤＣＴ処理されて得られた係数データを上記ビットアロケーションによって符号化する際には、上記各ブロック毎のＭＤＣＴ処理により得られる各帯域毎のＭＤＣＴ係数データに対して、適応的な割当てビット数で符号化が行われることになる。
【００１２】
このようなビット割当手法としては、次の２手法が知られている。すなわち、先ず文献「Adaptive Transform Coding of Speech Signals, R. Zelinski and P. Noll, IEEE Transactions of Accoustics, Speech, and Signal Processing, vol.ASSP-25, No.4, August 1977」 では、各帯域毎の信号の大きさをもとに、ビット割当を行なっている。この方式では、量子化雑音スペクトルが平坦となり、雑音エネルギー最小となるが、聴感覚的にはマスキング効果が利用されていないために実際の雑音感は最適ではない。また、文献「ICASSP 1980, The critical band coder -- digital encoding of  the perceptual requirements of the auditory system, M.A.Kransner MIT」 では、聴覚マスキングを利用することで、各帯域毎に必要な信号対雑音比を得て固定的なビット割当を行なう手法が述べられている。しかしこの手法ではサイン波入力で特性を測定する場合でも、ビット割当が固定的であるために特性値が、それほど良い値とならない。
【００１３】
これらの問題を解決するために、ビット割当に使用できる全ビットが、各小ブロック毎にあらかじめ定められた固定ビット割当パターン分と、各ブロックの信号の大きさに依存したビット配分を行なう分に分割使用され、その分割比を入力信号に関係する信号に依存させ、前記信号のスペクトルが滑らかなほど前記固定ビット割当パターン分への分割比率を大きくする高能率符号化装置が提案されている。
【００１４】
この方法によれば、サイン波入力のように、特定のスペクトルにエネルギーが集中する場合にはそのスペクトルを含むブロックに多くのビットを割り当てる事により、全体の信号対雑音特性を著しく改善することができる。一般に、急峻なスペクトル成分をもつ信号に対して人間の聴覚は極めて敏感であるため、このような方法を用いる事により、信号対雑音特性を改善することは、単に測定上の数値を向上させるばかりでなく、聴感上、音質を改善するのに有効である。
【００１５】
ビット割り当ての方法にはこの他にも数多くのやり方が提案されており、さらに聴覚に関するモデルが精緻化され、符号化装置の能力があがれば聴覚的にみてより高能率な符号化が可能になる。これらの方法においては、計算によって求められた信号対雑音特性をなるべく忠実に実現するような実数のビット割り当て基準値を求め、それを近似する整数値を割り当てビット数とすることが一般的である。
【００１６】
また、本件発明者等が先に提案した特願平５−１５２８６５号、又はＷＯ９４／２８６３３の明細書及び図面においては、スペクトル信号から聴感上特に重要なトーン性の成分、すなわち特定の周波数周辺にエネルギーが集中している信号成分、を分離して、他のスペクトル成分とは別に符号化する方法が提案されており、これにより、オーディオ信号等を聴感上の劣化を殆ど生じさせずに高い圧縮率で効率的に符号化することが可能になっている。
【００１７】
実際の符号列を構成するにあたっては、先ず、正規化および量子化が行なわれる帯域毎に量子化精度情報、正規化係数情報を所定のビット数で符号化し、次に、正規化および量子化されたスペクトル信号を符号化すればよい。また、
ISO/IEC 11172-3: 1993(E), 1993
では、帯域によって量子化精度情報を表すビット数が異なるように設定された高能率符号化方式が記述されており、高域になるにしたがって、量子化精度情報を表すビット数が小さくなるように規格化されている。
【００１８】
量子化精度情報を直接符号化するかわりに、復号装置において、例えば、正規化係数情報から量子化精度情報を決定する方法も知られているが、この方法では、規格を設定した時点で正規化係数情報と量子化精度情報の関係が決まってしまうので、将来的にさらに高度な聴覚モデルに基づいた量子化精度の制御を導入することができなくなる。また、実現する圧縮率に幅がある場合には圧縮率毎に正規化係数情報と量子化精度情報との関係を定める必要が出てくる。
【００１９】
量子化されたスペクトル信号を、例えば、文献「D.A.Huffman : A Method for Construction of Minimum Redundancy Codes, Proc.I.R.E., 40, p.1098 (1952)」に述べられている可変長符号を用いて符号化することによって、より効率的に符号化する方法も知られている。
【００２０】
また、上述のような方法で符号化された音響などの信号を暗号化して放送したり、記録媒体に記録して、鍵を購入した者に対してのみ、その視聴を許可するというソフトウェアの流通方法が知られている。暗号化の方法としては、例えば、ＰＣＭ（Pulse Code Moduration） の音響信号のビット列に対して、あるいは符号化された信号のビット列に対して、鍵信号として乱数系列の初期値を与え、発生した０／１の乱数系列と上記ビット列との排他的論理和をとったビット列を送信したり記録媒体に記録する方法が知られている。この方法を使用することにより、鍵信号を入手した者のみがその音響信号を正しく再生できるようにし、鍵信号を入手しなかった者は雑音しか再生できないようにすることができる。もちろん、暗号化方法としては、より複雑な方法を用いることも可能である。
【００２１】
【発明が解決しようとする課題】
ところで、音楽の曲等のオーディオコンテンツや、映画等のビデオコンテンツを購入する場合に、コンテンツの内容を試しに視聴できることが好ましい。この試し視聴用のデータをユーザに無料であるいは低価格で配布することで、ユーザは試し視聴して気に入ったコンテンツを購入することができ、販売促進にも貢献し得る。
【００２２】
ここで、ユーザが最初から購入目的を持って視聴する場合に対しては、上述のように試し視聴用のデータを配布しておくことが有用であるが、ユーザが購入意欲を持つのは、ミュージックショップ等のコンテンツ販売店やイベント会場等でたまたま視聴したコンテンツが気に入った場合や、バックグラウンド的に再生されているコンテンツの１つに特に興味を惹かれた場合等も多く、このような場合に、従来においては、曲名等のコンテンツを特定できる情報を何らかの方法で探し出して、その情報を元に当該コンテンツを購入していた。
【００２３】
しかしながら、このような方法では、視聴したコンテンツ、例えば聞いた曲が何であったかを調べることが必要となり、場合によっては聞いた曲が容易には特定できず、購入が見送られることもある。
【００２４】
また、コンテンツ供給センタにネットワーク等を介して接続されたユーザ端末に、予め試し視聴用のデータ、例えば試し聞き用の曲のデータを蓄積しておき、ユーザがＢＧＭ（バックグラウンドミュージック）的に再生することが考えられるが、この場合、ユーザの好みに合わない曲も再生されたり、興味を惹きそうな曲であっても再生される回数が少ないとユーザが気に入るまでに至らないこともあり得る。
【００２５】
本発明は、上述のような実情に鑑みて提案されたものであって、試し視聴用のデータをバックグラウンド的に再生する際に、ユーザの好みにあった効果的な再生が行われるような、コンテンツ供給システム並びにコンテンツ受信再生装置及び方法を提供することを目的とする。
【００２６】
【課題を解決するための手段】
本発明に係るコンテンツ供給システムは、上述の課題を解決するために、コンテンツが符号化されて得られる符号列の一部が再生可能とされた試し視聴用のデータを供給するコンテンツ供給センタと、上記コンテンツ供給センタからの試し視聴用のデータを受信し、受信された試し視聴用のデータを蓄積手段に蓄積し、蓄積手段に蓄積された複数の上記試し視聴用のデータを再生する受信再生装置とを有し、上記コンテンツ供給センタは、上記受信再生装置に対して、試し視聴用のデータの再生を制御する再生制御情報を上記試し視聴用のデータを高品質化するためのコンテンツ追加データの一部と共に送り、上記受信再生装置は、上記コンテンツ供給センタからの再生制御情報及び上記コンテンツ追加データの一部に応じて上記蓄積手段に蓄積された複数の上記試し視聴用のデータの再生が制御される。
【００２７】
また、本発明に係るコンテンツ受信再生装置及び方法は、コンテンツが符号化されて得られる符号列の一部が再生可能とされた試し視聴用のデータを供給するコンテンツ供給センタからの試し視聴用のデータを上記試し視聴用のデータを高品質化するためのコンテンツ追加データの一部と共に受信し、受信された試し視聴用のデータを蓄積手段に蓄積し、蓄積された複数の上記試し視聴用のデータを再生するようにし、この視聴用のデータの再生は、上記コンテンツ供給センタからの再生制御情報及び上記コンテンツ追加データの一部に応じて制御されることにより、上述の課題を解決する。
【００２８】
ここで、上記試し視聴用のデータは、コンテンツが符号化されて得られる所定フォーマットの符号列の一部の情報がダミーデータに置き換えられた第１の符号列のデータであり、上記コンテンツ追加データは、上記第１の符号列の上記ダミーデータの部分を補完する第２の符号列のデータであることが挙げられる。
【００２９】
また、上記コンテンツの符号化においては、入力信号をスペクトル変換し、帯域分割して、各帯域毎の量子化精度情報、正規化係数情報、及びスペクトル係数情報を含む所定フォーマットの符号列を生成し、上記ダミーデータは、上記量子化精度情報、上記正規化係数情報、及び上記スペクトル係数情報の内の少なくとも１つの情報の一部に対応するダミーデータであることが挙げられる。
【００３０】
【発明の実施の形態】
先ず、本発明に係る実施の形態を説明するに先立ち、本発明の実施の形態の説明に供する一般の圧縮データ記録再生装置としての光ディスク記録再生装置について、図面を参照しながら説明する。
【００３１】
図１は、光ディスク記録再生装置の一例を示すブロック図である。この図１に示す装置において、先ず記録媒体としては、スピンドルモータ５１により回転駆動される光磁気ディスク１が用いられる。光磁気ディスク１に対するデータの記録時には、例えば光学ヘッド５３によりレーザ光を照射した状態で記録データに応じた変調磁界を磁気ヘッド５４により印加することによって、いわゆる磁界変調記録を行い、光磁気ディスク１の記録トラックに沿ってデータを記録する。また再生時には、光磁気ディスク１の記録トラックを光学ヘッド５３によりレーザ光でトレースして磁気光学的に再生を行う。
【００３２】
光学ヘッド５３は、例えば、レーザダイオード等のレーザ光源、コリメータレンズ、対物レンズ、偏光ビームスプリッタ、シリンドリカルレンズ等の光学部品及び所定パターンの受光部を有するフォトディテクタ等から構成されている。この光学ヘッド５３は、光磁気ディスク１を介して上記磁気ヘッド５４と対向する位置に設けられている。光磁気デイスク１にデータを記録するときには、後述する記録系のヘッド駆動回路６６により磁気ヘッド５４を駆動して記録データに応じた変調磁界を印加すると共に、光学ヘッド５３により光磁気ディスク１の目的トラックにレーザ光を照射することによって、磁界変調方式により熱磁気記録を行う。またこの光学ヘッド５３は、目的トラックに照射したレーザ光の反射光を検出し、例えばいわゆる非点収差法によりフォーカスエラーを検出し、例えばいわゆるプッシュプル法によりトラッキングエラーを検出する。光磁気ディスク１からデータを再生するとき、光学ヘッド５３は上記フォーカスエラーやトラッキングエラーを検出すると同時に、レーザ光の目的トラックからの反射光の偏光角（カー回転角）の違いを検出して再生信号を生成する。
【００３３】
光学ヘッド５３の出力は、ＲＦ回路５５に供給される。このＲＦ回路５５は、光学ヘッド５３の出力から上記フォーカスエラー信号やトラッキングエラー信号を抽出してサーボ制御回路５６に供給するとともに、再生信号を２値化して後述する再生系のデコーダ７１に供給する。
【００３４】
サーボ制御回路５６は、例えばフォーカスサーボ制御回路やトラッキングサーボ制御回路、スピンドルモータサーボ制御回路、スレッドサーボ制御回路等から構成される。上記フォーカスサーボ制御回路は、上記フォーカスエラー信号がゼロになるように、光学ヘッド５３の光学系のフォーカス制御を行う。また上記トラッキングサーボ制御回路は、上記トラッキングエラー信号がゼロになるように光学ヘッド５３の光学系のトラッキング制御を行う。さらに上記スピンドルモータサーボ制御回路は、光磁気ディスク１を所定の回転速度（例えば一定線速度）で回転駆動するようにスピンドルモータ５１を制御する。また、上記スレッドサーボ制御回路は、システムコントローラ５７により指定される光磁気ディスク１の目的トラック位置に光学ヘッド５３及び磁気ヘッド５４を移動させる。このような各種制御動作を行うサーボ制御回路５６は、該サーボ制御回路５６により制御される各部の動作状態を示す情報をシステムコントローラ５７に送る。
【００３５】
システムコントローラ５７にはキー入力操作部５８や表示部５９が接続されている。このシステムコントローラ５７は、キー入力操作部５８による操作入力情報により操作入力情報により記録系及び再生系の制御を行う。またシステムコントローラ５７は、光磁気ディスク１の記録トラックからヘッダタイムやサブコードのＱデータ等により再生されるセクタ単位のアドレス情報に基づいて、光学ヘッド５３及び磁気ヘッド５４がトレースしている上記記録トラック上の記録位置や再生位置を管理する。さらにシステムコントローラ５７は、本圧縮データ記録再生装置のデータ圧縮率と上記記録トラック上の再生位置情報とに基づいて表示部５９に再生時間を表示させる制御を行う。
【００３６】
この再生時間表示は、光磁気ディスク１の記録トラックからいわゆるヘッダタイムやいわゆるサブコードＱデータ等により再生されるセクタ単位のアドレス情報（絶対時間情報）に対し、データ圧縮率の逆数（例えば１／４圧縮のときには４）を乗算することにより、実際の時間情報を求め、これを表示部５９に表示させるものである。なお、記録時においても、例えば光磁気ディスク等の記録トラックに予め絶対時間情報が記録されている（プリフォーマットされている）場合に、このプリフォーマットされた絶対時間情報を読み取ってデータ圧縮率の逆数を乗算することにより、現在位置を実際の記録時間で表示させることも可能である。
【００３７】
次に、この図１に示す光ディスク記録再生装置の記録系において、入力端子６０からのアナログオーディオ入力信号ＡＩＮがローパスフイルタ６１を介してＡ／Ｄ変換器６２に供給され、このＡ／Ｄ変換器６２は、上記アナログオーディオ入力信号ＡＩＮを量子化する。Ａ／Ｄ変換器６２から得られたデジタルオーディオ信号は、ＡＴＣ（適応変換符号化：Adaptive Transform Coding） エンコーダ６３に供給される。また、入力端子６７からのデジタルオーディオ入力信号ＤＩＮがデジタル入力インターフェース回路６８を介してＡＴＣエンコーダ６３に供給される。ＡＴＣエンコーダ６３は、上記入力信号ＡＩＮを上記Ａ／Ｄ変換器６２により量子化した所定転送速度のデジタルオーディオＰＣＭデータについて、所定のデータ圧縮率に応じたビット圧縮（データ圧縮）処理を行うものであり、ＡＴＣエンコーダ６３から出力される圧縮データ（ＡＴＣデータ）は、メモリ（ＲＡＭ）６４に供給される。例えばデータ圧縮率が１／８の場合について説明すると、ここでのデータ転送速度は、標準的なデジタルオーディオＣＤのフォーマットであるいわゆるＣＤ−ＤＡフォーマットのフオーマットのデータ転送速度（７５セクタ／秒）の１／８（９.375セクタ／秒）に低減されている。
【００３８】
次に、メモリ（ＲＡＭ）６４は、データの書き込み及び読み出しがシステムコントローラ５７により制御され、ＡＴＣエンコーダ６３から供給されるＡＴＣデータを一時的に記憶しておき、必要に応じてディスク上に記録するためのバッファメモリとして用いられている。すなわち、例えばデータ圧縮率が１／８の場合において、ＡＴＣエンコーダ６３から供給される圧縮オーディオデータは、そのデータ転送速度が、標準的なＣＤ−ＤＡフォーマットのデータ転送速度（７５セクタ／秒）の１／８、すなわち９.375セクタ／秒に低減されており、この圧縮データがメモリ６４に連続的に書き込まれる。この圧縮データ（ＡＴＣデータ）は、前述したように８セクタにつき１セクタの記録を行えば足りるが、このような８セクタおきの記録は事実上不可能に近いため、後述するようなセクタ連続の記録を行うようにしている。
【００３９】
この記録は、休止期間を介して、所定の複数セクタ（例えば３２セクタ＋数セクタ）から成るクラスタを記録単位として、標準的なＣＤ−ＤＡフォーマットと同じデータ転送速度（７５セクタ／秒）でバースト的に行われる。すなわちメモリ６４においては、上記ビット圧縮レートに応じた９.375（＝７５／８）セクタ／秒の低い転送速度で連続的に書き込まれたデータ圧縮率１／８のＡＴＣオーディオデータが、記録データとして上記７５セクタ／秒の転送速度でバースト的に読み出される。この読み出されて記録されるデータについて、記録休止期間を含む全体的なデータ転送速度は、上記９.375セクタ／秒の低い速度となっているが、バースト的に行われる記録動作の時間内での瞬時的なデータ転送速度は上記標準的な７５セクタ／秒となっている。従って、ディスク回転速度が標準的なＣＤ−ＤＡフォーマットと同じ速度（一定線速度）のとき、該ＣＤ−ＤＡフォーマットと同じ記録密度、記録パターンの記録が行われることになる。
【００４０】
メモリ６４から上記７５セクタ／秒の（瞬時的な）転送速度でバースト的に読み出されたＡＴＣオーディオデータすなわち記録データは、エンコーダ６５に供給される。ここで、メモリ６４からエンコーダ６５に供給されるデータ列において、１回の記録で連続記録される単位は、複数セクタ（例えば３２セクタ）から成るクラスタ及び該クラスタの前後位置に配されたクラスタ接続用の数セクタとしている。このクラスタ接続用セクタは、エンコーダ６５でのインターリーブ長より長く設定しており、インターリーブされても他のクラスタのデータに影響を与えないようにしている。
【００４１】
エンコーダ６５は、メモリ６４から上述したようにバースト的に供給される記録データについて、エラー訂正のための符号化処理（パリテイ付加及びインターリーブ処理）やＥＦＭ符号化処理などを施す。このエンコーダ６５による符号化処理の施された記録データが磁気ヘッド駆動回路６６に供給される。この磁気ヘッド駆動回路６６は、磁気ヘッド５４が接続されており、上記記録データに応じた変調磁界を光磁気ディスク１に印加するように磁気ヘッド５４を駆動する。
【００４２】
また、システムコントローラ５７は、メモリ６４に対する上述の如きメモリ制御を行うとともに、このメモリ制御によりメモリ６４からバースト的に読み出される上記記録データを光磁気ディスク１の記録トラックに連続的に記録するように記録位置の制御を行う。この記録位置の制御は、システムコントローラ５７によりメモリ６４からバースト的に読み出される上記記録データの記録位置を管理して、光磁気ディスク１の記録トラック上の記録位置を指定する制御信号をサーボ制御回路５６に供給することによって行われる。
【００４３】
次に、図１に示す光ディスク記録再生装置の再生系について説明する。この再生系は、上述の記録系により光磁気ディスク１の記録トラック上に連続的に記録された記録データを再生するためのものであり、光学ヘッド５３によって光磁気ディスク１の記録トラックをレーザ光でトレースすることにより得られる再生出力がＲＦ回路５５により２値化されて供給されるデコーダ７１を備えている。この場合、光磁気ディスクのみではなく、いわゆるＣＤ（コンパクトディスク：Compact Disc）と同じ再生専用光ディスクや、いわゆるＣＤ−Ｒタイプの光ディスクの読み出しも行なうことができる。
【００４４】
デコーダ７１は、上述の記録系におけるエンコーダ６５に対応するものであって、ＲＦ回路５５により２値化された再生出力について、エラー訂正のための上述の如き復号処理やＥＦＭ復号処理などの処理を行い、上述のデータ圧縮率１／８のＡＴＣオーディオデータを、正規の転送速度よりも早い７５セクタ／秒の転送速度で再生する。このデコーダ７１により得られる再生データは、メモリ（ＲＡＭ）７２に供給される。
【００４５】
メモリ（ＲＡＭ）７２は、データの書き込み及び読み出しがシステムコントローラ５７により制御され、デコーダ７１から７５セクタ／秒の転送速度で供給される再生データがその７５セクタ／秒の転送速度でバースト的に書き込まれる。また、このメモリ７２は、上記７５セクタ／秒の転送速度でバースト的に書き込まれた上記再生データがデータ圧縮率１／８に対応する９.375セクタ／秒の転送速度で連続的に読み出される。
【００４６】
システムコントローラ５７は、再生データをメモリ７２に７５セクタ／秒の転送速度で書き込むとともに、メモリ７２から上記再生データを上記９.375セクタ／秒の転送速度で連続的に読み出すようなメモリ制御を行う。また、システムコントローラ５７は、メモリ７２に対する上述の如きメモリ制御を行うとともに、このメモリ制御によりメモリ７２からバースト的に書き込まれる上記再生データを光磁気ディスク１の記録トラックから連続的に再生するように再生位置の制御を行う。この再生位置の制御は、システムコントローラ５７によりメモリ７２からバースト的に読み出される上記再生データの再生位置を管理して、光磁気ディスク１もしくは光ディスク１の記録トラック上の再生位置を指定する制御信号をサーボ制御回路５６に供給することによって行われる。
【００４７】
メモリ７２から９.375セクタ／秒の転送速度で連続的に読み出された再生データとして得られるＡＴＣオーディオデータは、ＡＴＣデコーダ７３に供給される。このＡＴＣデコーダ７３は、上記記録系のＡＴＣエンコーダ６３に対応するもので、例えばＡＴＣデータを８倍にデータ伸張（ビット伸張）することで１６ビットのデジタルオーディオデータを再生する。このＡＴＣデコーダ７３からのデジタルオーディオデータは、Ｄ／Ａ変換器７４に供給される。
【００４８】
Ｄ／Ａ変換器７４は、ＡＴＣデコーダ７３から供給されるデジタルオーディオデータをアナログ信号に変換して、アナログオーディオ出力信号ＡＯＵＴ を形成する。このＤ／Ａ変換器７４により得られるアナログオーディオ信号ＡＯＵＴは、ローパスフイルタ７５を介して出力端子７６から出力される。
【００４９】
次に、信号の高能率圧縮符号化について詳述する。すなわち、オーディオＰＣＭ信号等の入力デジタル信号を、帯域分割符号化（ＳＢＣ）、適応変換符号化（ＡＴＣ）及び適応ビット割当ての各技術を用いて高能率符号化する技術について、図２以降を参照しながら説明する。
【００５０】
図２は、本発明の実施の形態の説明に供する音響波形信号の符号化装置の具体例を示すブロック図である。この例において、入力された信号波形１０１は変換手段１１０１によって信号周波数成分の信号１０２に変換された後、信号成分符号化手段１１０２によって各成分が符号化され、符号列生成手段１１０３によって符号列１０４が生成される。
【００５１】
図３は図２の変換手段１１０１の具体例を示し、帯域分割フィルタによって二つの帯域に分割された信号がそれぞれの帯域においてＭＤＣＴ等の順スペクトル変換手段スペクトル信号成分２２１、２２２に変換されている。図３の信号２０１は図２の信号１０１に対応し、図３の各信号２２１、２２２は図２の信号１０２に対応している。図３の変換手段で、信号２１１、２１２の帯域幅は信号２０１の帯域幅の１／２となっており、信号２０１の１／２に間引かれている。変換手段としてはこの具体例以外にも種々考えられ、例えば、入力信号を直接、ＭＤＣＴによってスペクトル信号に変換してもよいし、ＭＤＣＴではなく、ＤＦＴ（離散フーリエ変換）やＤＣＴ（離散コサイン変換）によって変換してもよい。いわゆる帯域分割フィルタによって信号を帯域成分に分割することも可能であるが、多数の周波数成分が比較的少ない演算量で得られる上記のスペクトル変換によって周波数成分に変換する方法をとると都合がよい。
【００５２】
図４は、図２の信号成分符号化手段１１０２の具体例を示し、入力信号３０１は、正規化手段１３０１によって所定の帯域毎に正規化が施された後（信号３０２）、量子化精度決定手段１３０２によって計算された量子化精度情報３０３に基づいて量子化手段１３０３によって量子化され、信号３０４として取り出される。図４の信号３０１は図２の信号１０２に、図４の信号３０４は図２の信号１０３に対応しているが、ここで、信号３０４には量子化された信号成分に加え、正規化係数情報や量子化精度情報も含まれている。
【００５３】
図５は、図２に示す符号化装置によって生成された符号列から音響信号を出力する復号装置の具体例を示すブロック図である。この具体例において、符号列４０１から符号列分解手段１４０１によって各信号成分の符号４０２が抽出され、それらの符号４０２から信号成分復号手段１４０２によって各信号成分４０３が復元された後、逆変換手段１４０３によって音響波形信号４０４が出力される。
【００５４】
図６は、図５の逆変換手段１４０３の具体例であるが、これは図３の変換手段の具体例に対応したもので、逆スペクトル変換手段１５０１、１５０２によって得られた各帯域の信号５１１、５１２が、帯域合成フィルタ１５１１によって合成されている。図６の各信号５０１、５０２は図５の信号４０３に対応し、図６の信号５２１は図５の信号４０４に対応している。
【００５５】
図７は、図５の信号成分復号手段１４０２の具体例で、図７の信号５５１は図５の信号４０２に対応し、図７の信号５５３は図５の信号４０３に対応する。スペクトル信号５５１は逆量子化手段１５５１によって逆量子化された後（信号５５２）、逆正規化手段１５５２によって逆正規化され、信号５５３として取り出される。
【００５６】
図８は、図２に示される符号化装置において、従来行なわれてきた符号化の方法について説明を行なうための図である。この図の例において、スペクトル信号は図３の変換手段によって得られたものであり、図８はＭＤＣＴのスペクトルの絶対値をレベルをｄＢに変換して示したものである。入力信号は所定の時間ブロック毎に例えば６４個のスペクトル信号に変換されており、それが例えば８つの帯域ｂ１からｂ８まで（以下、これらを符号化ユニットと呼ぶ）にまとめて正規化および量子化が行なわれる。量子化精度は周波数成分の分布の仕方によって符号化ユニット毎に変化させることにより、音質の劣化を最小限に押さえる聴覚的に効率の良い符号化が可能である。
【００５７】
図９は、上述のように符号化された信号を記録媒体に記録する場合の具体例を示したものである。この具体例では、各フレームの先頭に同期信号ＳＣを含む固定長のヘッダがついており、ここに符号化ユニット数ＵＮも記録されている。ヘッダの次には量子化精度情報ＱＮが上記符号化ユニット数だけ記録され、その後に正規化精度情報ＮＰが上記符号化ユニット数だけ記録されている。正規化および量子化されたスペクトル係数情報ＳＰはその後に記録されるが、フレームの長さが固定の場合、スペクトル係数情報ＳＰの後に、空き領域ができてもよい。この図の例は、図８のスペクトル信号を符号化したもので、量子化精度情報ＱＮとしては、最低域の符号化ユニットの例えば６ビットから最高域の符号化ユニットの例えば２ビットまで、図示されたように割り当てられ、正規化係数情報ＮＰとしては、最低域の符号化ユニットの例えば４６という値から最高域の符号化ユニットの例えば２２の値まで、図示されたように割り当てられている。なお、この正規化係数情報ＮＰとしては、例えばｄＢ値に比例した値が用いられている。
【００５８】
以上述べた方法に対して、さらに符号化効率を高めることが可能である。例えば、量子化されたスペクトル信号のうち、頻度の高いものに対しては比較的短い符号長を割り当て、頻度の低いものに対しては比較的長い符号長を割り当てることによって、符号化効率を高めることができる。また例えば、変換ブロック長を長くとることによって、量子化精度情報や正規化係数情報といったサブ情報の量を相対的に削減でき、また周波数分解能を上がるので、周波数軸上で量子化精度をよりこまやかに制御できるため、符号化効率を高めることができる。
【００５９】
さらにまた、本件発明者等が先に提案した特願平５−１５２８６５号、又はＷＯ９４／２８６３３の明細書及び図面においては、スペクトル信号から聴感上特に重要なトーン性の成分、すなわち特定の周波数周辺にエネルギーが集中している信号成分、を分離して、他のスペクトル成分とは別に符号化する方法が提案されており、これにより、オーディオ信号等を聴感上の劣化を殆ど生じさせずに高い圧縮率での効率的に符号化することが可能になっている。
【００６０】
図１０は、このような方法を用いて符号化を行なう場合の方法を説明するための図で、スペクトル信号から、特にレベルが高いものをトーン成分、例えばトーン成分Ｔn１〜Ｔn３として分離して符号化する様子を示している。各トーン成分Ｔn１〜Ｔn３に対しては、その位置情報、例えば位置データPos１〜Pos３も必要となるが、トーン成分Ｔn１〜Ｔn３を抜き出した後のスペクトル信号は少ないビット数で量子化することが可能となるので、特定のスペクトル信号にエネルギが集中する信号に対して、このような方法をとると、特に効率の良い符号化が可能となる。
【００６１】
図１１は、このようにトーン性成分を分離して符号化する場合の、図２の信号成分符号化手段１１０２の構成を示したものである。図２の変換手段１１０１の出力信号１０２（図１１の信号６０１）は、トーン成分分離手段１６０１によって、トーン成分（信号６０２）と非トーン成分（信号６０３）とに分離され、それぞれ、トーン成分符号化手段１６０２および非トーン成分符号化手段１６０３によって符号化され、それぞれ信号６０４および６０５として取り出される。トーン成分符号化手段１６０２および非トーン成分符号化手段１６０３は、図４と同様の構成をとるが、トーン成分符号化手段１６０２はトーン成分の位置情報の符号化も行なう。
【００６２】
同様に図１２は、上述のようにトーン性成分を分離して符号化されたものを復号する場合の、図５の信号成分復号手段１４０２の構成を示したものである。図１２の信号７０１は図１１の信号６０４に対応し、図１２の信号７０２は図１１の信号６０５に対応する。信号７０１はトーン成分復号手段１７０１により復号され、信号７０３としてスペクトル信号合成手段１７０３に送られ、信号７０２は非トーン成分復号手段１７０２により復号され、信号７０４としてスペクトル信号合成手段１７０３に送られる。スペクトル信号合成手段１７０３は、トーン成分（信号７０３）と非トーン成分（信号７０４）とを合成し、信号７０５として出力する。
【００６３】
図１３は、上述のように符号化された信号を記録媒体に記録する場合の具体例を示したものである。この具体例では、トーン成分を分離して符号化しており、その符号列がヘッダ部と量子化精度情報ＱＮの間の部分に記録されている。トーン成分列に対しては、先ず、トーン成分数情報ＴＮが記録され、次に各トーン成分のデータが記録されている。トーン成分のデータとしては、位置情報Ｐ、量子化精度情報ＱＮ、正規化係数情報ＮＰ、スペクトル係数情報ＳＰが挙げられる。この具体例ではさらに、スペクトル信号に変換する変換ブロック長を、図９の具体例の場合の２倍にとって周波数分解能も高めてあり、さらに可変長符号も導入することによって、図９の具体例に比較して、同じバイト数のフレームに２倍の長さに相当する音響信号の符号列を記録している。
【００６４】
以上の説明は、本発明の実施の形態の説明に先立つ技術を説明したものであるが、本発明の実施の形態においては、例えばオーディオに適用する場合に、比較的低品質のオーディオ信号は内容の試聴用として自由に聞くことができるようにし、高品質のオーディオ信号は、比較的小量の追加データを購入などして入手することで聴けるようにするものである。
【００６５】
すなわち、本発明の実施の形態においては、例えば、上記図９のように符号化されるべきところに、図１４に示すように、量子化精度情報ＱＮの内のダミーの量子化精度データとして、高域側の４つの符号化ユニットに対して０ビット割り当てを示すデータを符号化し、また、正規化係数情報ＮＰの内のダミーの正規化係数データとして高域側の４つの符号化ユニットには最小の値の正規化係数情報０を符号化する（この具体例では正規化係数はｄＢ値に比例した値をとるものとする）。このように、高域側の量子化精度情報を０にすることによって、実際には図１４の領域Ｎegの部分のスペクトル係数情報は無視され、これを通常の再生装置で再生すると、図１５に示したようなスペクトルを持つ狭帯域のデータが再生される。また、正規化係数情報もダミーのデータを符号化することによって、量子化精度情報を推測して不正に高品質再生をすることが一層、困難になる。
【００６６】
このような本発明の実施の形態に用いられる信号再生装置及び方法は、信号が符号化されて得られる所定フォーマットの符号列を再生する際に、上記所定フォーマットの符号列の一部がダミーデータとされた第１の符号列に対して、上記ダミーデータの部分を補完する第２の符号列を用いて該ダミーデータを書き換え、上記第１の符号列と上記書き換えられた符号列とを所定の条件に応じて切り換えて出力するものである。
【００６７】
また、本発明の実施の形態に用いられる信号記録装置及び方法は、信号が符号化されて得られる所定フォーマットの符号列を記録する際に、上記所定フォーマットの符号列の少なくとも一部がダミーデータとされた第１の符号列に対して、上記ダミーデータの部分を補完する第２の符号列を用いて該ダミーデータを書き換えるものである。
【００６８】
ここで、全帯域の量子化精度情報、正規化係数情報をダミーのデータと置き換えておくこともできる。この場合は通常の再生装置で再生してもなんらの意味のあるデータの再生はできない。試し視聴を行うためには、上記第２の符号列の部分符号列（例えば量子化精度情報、正規化係数情報の低域側のデータ）を用いてダミーデータの一部を書き換えて再生するようにし、高品質の信号再生を希望する場合は、残りのダミーデータに対応する量子化精度情報や正規化係数情報、すなわち、上記第２の符号列の内の上記部分符号列以外の部分の符号列を、追加データとして購入等して入手することで、上記ダミーデータの全てを補完することができ、これによって高品質（高音質、高画質）の信号再生が行える。また、上記第２の符号列の部分符号列の量を変更することにより、試し視聴の信号の品質を任意に変更することができる。
【００６９】
なお、上記の例では、量子化精度情報と正規化係数情報の両者をダミーデータで置き換えているが、どちらか一方のみをダミーデータで置き換えるようにしてもよい。量子化精度情報のみを０ビットデータのダミーデータとした場合には、上記図１５に示したようなスペクトルを持つ狭帯域のデータが再生される。一方、正規化係数情報のみを０の値を持つダミーデータとした場合には、図１６に示したようなスペクトルを持つことになり、高域側のスペクトルは厳密には０にはならないが、可聴性という観点からは実質的には０と同じであり、本発明の実施の形態においては、この場合も含めて狭帯域信号と呼ぶことにする。
【００７０】
量子化精度情報および正規化係数情報のうち、どのデータをダミーデータにするかという点に関しては、これらの真の値を推測されて高品質再生されてしまうというリスクに関して差異がある。量子化精度情報と正規化係数情報の両者がダミーデータとなっている場合、これらの真の値を推測するためのデータが全く無いため、一番、安全である。量子化精度情報のみダミーデータにした場合には、例えば、元のビット割り当てアルゴリズムが正規化係数を元に量子化精度情報を求めるものである場合、正規化係数情報を手掛かりにして量子化精度情報を推測される危険性があるため、リスクは比較的高くなる。これに対して、量子化精度情報から正規化係数情報を求めることは比較的困難であるから、正規化係数情報のみをダミーデータとする方法は量子化精度情報のみをダミーデータとする方法と比較してリスクは低くなる。なお、帯域によって、量子化精度情報または正規化係数情報を選択的にダミーデータとするようにしてもよい。
【００７１】
この外、スペクトル係数情報の一部を０のダミーデータで置き換えるようにしてもよい。特に中域のスペクトルは音質上、重要な意味を持つので、この部分を０のダミーデータで置き換え、中高域部分はダミー量子化精度情報やダミー正規化係数情報で置き換えるようにしてもよい。その場合、ダミー量子化精度情報やダミー正規化係数情報で置き換える帯域はスペクトル係数情報の一部をダミーデータに置き換える帯域をカバーさせるようにして、正しく狭帯域再生が行われるようにする。特にスペクトル係数情報の符号化に可変長符号を用いた場合、中域の一部の情報が欠落することによって、それより高域のデータは全く解読ができなくなる。
【００７２】
何れにしても、信号の内容に立ち入った比較的大きなデータを推測することは、通常の暗号化で用いる比較的短い鍵長を解読することに比べて困難であり、例えば、その曲の著作権者の権利が不正に侵されるリスクは低くなると言える。また、仮にある曲に対して、ダミーデータを推測されても、暗号アルゴリズムの解読方法が知られる場合と異なり、他の曲に対して被害が拡大する恐れはないので、その点からも特定の暗号化を施した場合よりも安全性が高いと言うことができる。
【００７３】
すなわち、上記実施の形態によてば、信号が符号化されて得られる所定フォーマットの符号列を再生する際に、上記所定フォーマットの符号列の少なくとも一部がダミーデータとされた第１の符号列に対して、上記ダミーデータの部分を補完する第２の符号列の部分符号列を用いて該ダミーデータの少なくとも一部を書き換え、上記第２の符号列の上記部分符号列により書き換えられた符号列を復号することにより、コンテンツ（ソフトウェア）の内容を確認してから高品質再生に必要な情報を入手すべきかどうかを判断することが可能となり、また、暗号化を行なった場合と異なり、暗号解読等の不正な行為により高品質再生が行なわれる危険性が低くなり、より円滑なコンテンツの配布をすることが可能となるのみならず、上記第２の符号列の上記部分符号列を変更すること、例えば帯域幅を変化させることにより、試し視聴用の信号の品質（音質や画質）を任意に変更することができる。
【００７４】
図１７は、本発明の実施の形態に用いられる再生装置の例を示すブロック図であり、上記図５の従来の復号手段を改良したものである。
【００７５】
図１７において、入力信号８０１は、一部をダミーデータで置き換えられた符号列（第１の符号列）であり、ここでは、全帯域もしくは高域側の量子化精度情報および正規化係数情報がダミーデータになっているものとする。このダミーデータが埋めこまれた高能率符号化信号である信号８０１は、例えば、所定の公衆回線（ＩＳＤＮ:Integrated Services Digital Network、衛星回線、アナログ回線等）を介して受信され、符号化列分離手段１８０１に入力される。これが先ず符号列分解手段１８０１によって符号列の内容が分解され、信号８０２として符号列書き換え手段１８０２および切換スイッチ１８０８の被選択端子ｂに送られる。符号列書き換え手段１８０２は、制御手段１８０５を通じて、上記ダミーデータの部分を補完する第２の符号列としての真の量子化精度情報および正規化係数情報８０６を信号８０７として受け取り、これにより、信号８０２のうちのダミーの量子化精度情報および正規化係数情報の部分を書き換え、その結果を切換スイッチ１８０８の被選択端子ａに送る。切換スイッチ１８０８からの出力は、信号成分復号手段１８０３に送られる。信号成分復号手段１８０３は、このデータをスペクトル・データ８０４に復号し、逆変換手段１８０４はこれを時系列データ８０５に変換して、オーディオ信号を再生する。
【００７６】
この図１７の構成において、試し視聴モードの場合には、符号列分解手段１８０１からの信号８０２は、符号列書き換え手段１８０２をバイパスして、切換スイッチ１８０８の被選択端子ｂを介して信号成分復号手段１８０３に入力される。購入モードの場合には、上述したダミーデータを書き換える真の量子化精度情報及び／又は真の正規化係数情報８０６を、上記信号８０１と同一の公衆回線を経由して制御手段１８０５に入力する。制御手段１８０５は、符号列書き換え手段１８０２に入力されるダミーデータが埋めこまれた高能率符号化信号８０１中のダミーデータを上記真の量子化精度情報及び／又は真の正規化係数情報８０６を用いて書き換え、この書き換えられた高能率符号化信号８０３が、切換スイッチ８０８の被選択端子ａを介して信号成分復号手段１８０３に入力される。
【００７７】
これによってユーザは、上記試し視聴モード時にダミーデータが付加された低い音質の視聴音楽を聴くことができ、所定の購入手続き（課金処理、認証処理等）が行われた場合には高い音質の音楽を聴くことができる。
【００７８】
上述した具体例においては、上記ダミーデータの全てを上記第２の符号列を用いて書き換える（補完する）場合について説明したが、これに限定されず、上記ダミーデータの少なくとも一部分を上記第２の符号列の部分符号列を用いて書き換えて再生するようなことも可能である。このように、ダミーデータの少なくとも一部分を第２の符号列の部分符号列を用いて置き換えて再生する場合に、該第２の符号列の上記部分符号列の割合を任意に変更することにより、例えば試し視聴の品質（音質や画質等）を任意に変更することができる。この場合には、試し視聴モード時であっても、上記第２の符号列の部分符号列が信号８０６として制御手段１８０５に入力され、信号８０７となって符号列書き換え手段１８０２に送られるから、符号列分解手段１８０１からの第１の符号列に埋め込まれたダミーデータの一部分を上記第２の符号列の部分符号列を用いて書き換え、切り換えスイッチ１８０８を被選択端子ａ側に切換接続して、信号成分復号手段１８０３に送るようにすればよい。
【００７９】
ここで、上記符号化方式として、コンテンツの信号をスペクトル変換し、帯域分割して、各帯域毎の量子化精度情報、正規化係数情報、及びスペクトル係数情報を含む所定フォーマットの符号列を生成するような方式の場合、上記ダミーデータは、上記量子化精度情報、上記正規化係数情報、及び上記スペクトル係数情報の内の少なくとも１つの情報の少なくとも一部に対応するダミーデータであることが挙げられ、この場合、上記第２の符号列の部分符号列は、上記ダミーデータの低域側の情報とすることが挙げられる。具体的には、例えば、上記ダミーデータが上記量子化精度情報の高域側、あるいは上記正規化係数情報の高域側の情報のダミーデータのとき、上記第２の符号列の部分符号列は、上記ダミーデータに対応する量子化精度情報、あるいは上記正規化係数情報の低域側の情報とすることが挙げられる。
【００８０】
もしダミーデータの書き換え用データ（第２の符号列の部分符号列）がダミーデータに対応する情報の全帯域かほぼ全帯域に近い帯域のためのものであるときは、広い帯域の高音質のオーディオ信号が再生される。ダミーデータの書き換え用データ（第２の符号列の部分符号列）がダミーデータに対応する情報の一部の狭い帯域のためのものであるときは、狭い帯域のオーディオ信号が再生される。これにより、ダミーデータの書き換え用データがどの帯域幅に対応するデータであるかにより、試し聞きの音質がコントロールでき、かつ広帯域のオーディオ信号の再生も可能となる。
【００８１】
以上説明した実施の形態においては、ダミーデータが埋めこまれた高能率符号化信号８０１とダミーデータを書き換える真の量子化精度情報及び／又は真の正規化係数情報（第２の符号列、あるいはその部分符号列）８０６とを上記同一公衆回線を介してサーバ側から入手したが、例えば、データ量の多いダミーデータが埋めこまれた高能率符号化信号８０１を伝送レートの高い衛星回線で入手し、データ量の少ない真の量子化精度情報及び／又は真の正規化係数情報８０６を電話回線やＩＳＤＮ等の伝送レートの比較的低い回線を用いて別々に入手してもよい。また、信号８０１をＣＤ−ＲＯＭや、ＤＶＤ（デジタル多用途ディスク）−ＲＯＭ等の大容量記録媒体で供給するようにしてもよい。以上のような構成にすることでセキュリティーを高めることが可能になる。
【００８２】
ところで、図１３では、トーン成分と非トーン成分に関する説明をしたが、ダミーデータが埋めこまれた高能率符号化信号は、トーン成分を構成する量子化精度情報及び／又は正規化係数情報に対して行われてもよいし、非トーン成分を構成する量子化精度情報及び／又は正規化係数情報に対して行われてもよいし、トーン成分と非トーン成分両方の量子化精度情報及び／又は正規化係数情報に対して行われてもよい。
【００８３】
次に、図１８は、図１７の制御手段１８０５からの信号８０７の真の情報（第２の符号列）のフォーマットの具体例を示したもので、図１４に示されるＮ番フレームの情報を図９に示す情報に変更するためのものである。これにより、ダミーデータの入ったままの符号列では、図１５に示されるスペクトルを持つ再生音が図８に示すスペクトルを持つ再生音に変化することになる。
【００８４】
図１９は、本発明の実施の形態に用いられる記録装置の例を示すブロック図である。図１９において、入力信号８２１は、一部をダミーデータで置き換えられた第１の符号列であり、ここでは、高域側の量子化精度情報および正規化係数情報がダミーデータになっているものとする。これが先ず符号列分解手段１８２１によって符号列の内容が分解され、信号８２２として符号列書き換え手段１８２２に送られる。符号列書き換え手段１８２２は、制御手段１８２４を通じて、第２の符号列である真の量子化精度情報および正規化係数情報８２５を、信号８２６として受け取り、これにより、信号８２２のうちのダミーの量子化精度情報および正規化係数情報の部分を書き換え、その結果の信号８２３を記録手段１８２３に送り、これを記録メディアに記録する。なお、ここで信号８２４の符号列を記録する記録メディアは、元々信号８２１の符号列を記録していた記録メディアであるとしてもよい。
【００８５】
この図１９の実施の形態においても、上述した図１７の例と同様に、上記ダミーデータの全てを上記第２の符号列を用いて書き換える（補完する）代わりに、上記ダミーデータの少なくとも一部分を上記第２の符号列の部分符号列を用いて書き換えて記録するようにしてもよい。このように、ダミーデータの少なくとも一部分を第２の符号列の部分符号列を用いて置き換えて記録する場合に、該第２の符号列の上記部分符号列の割合を任意に変更することにより、例えば試し視聴の品質（音質や画質等）を任意に変更することができる。この場合には、試し視聴モード時であっても、上記第２の符号列の部分符号列が信号８２５として制御手段１８２４に入力され、信号８２６となって符号列書き換え手段１８２２に送られるから、符号列分解手段１８２１からの第１の符号列に埋め込まれたダミーデータの一部分を上記第２の符号列の部分符号列を用いて書き換え、記録手段１８２３に送るようにすればよい。
【００８６】
以上、本発明の実施の形態に用いられる再生装置、記録装置について説明を行ったが、ここで、高域側のスペクトル係数情報に暗号化を施しておき、さらに安全性を高めるようにすることも可能である。その場合には、図１７、図１９におけるダミーデータを置き換える符号列書き換え手段１８０２、１８２２は、制御手段１８０５、１８２４を通じて真の正規化係数情報を受け取り、ダミーデータを置き換えるとともに、やはり制御手段１８０５、１８２４を通じて得た復号鍵を用いて高域側のデータを復号して、再生を行なったり、記録を行なったりする。
【００８７】
図２０は、図１０に示すようにトーン成分を分離し、図１３に示すように符号化した場合に、ダミーデータを置き換える情報のフォーマットの具体例を示したものである。これにより、図１５に示されるスペクトルを持つ再生音が図１０に示すスペクトルを持つ再生音に変化することになる。
【００８８】
図２１は、本発明の実施の形態に用いる再生方法で、ソフトウェアを用いて再生を行なう場合の手順を示したフローチャートの例である。先ず、ステップＳ１１においてダミーデータを含んだ符号列（第１の符号列）の分解を行ない、次にステップＳ１２において、高音質再生を行なうかどうかを判断する。高音質再生を行なう場合には、ステップＳ１３において、第１の符号列中のダミーデータを、広い帯域を持たせるための真のデータ（第２の符号列）で置き換えてから、ステップＳ１４に進み、そうでない場合には、直接、ステップＳ１４に進む。ステップＳ１４では信号成分の復号を行ない、ステップＳ１５において時系列信号への逆変換を行ない、音を再生する。
【００８９】
図２２は、本発明の実施の形態に用いる記録方法で、ソフトウェアを用いて記録を行なう場合の手順を示したフローチャートの例である。先ず、ステップＳ２１において、高音質記録を行なうかどうかを判断を行ない、高音質記録を行なう場合には、先ずステップＳ２２においてダミーデータを含んだ符号列（第１の符号列）の分解を行ない、次にステップＳ２３において符号列中のダミーデータを、広い帯域を持たせる真のデータ（第２の符号列）で置き換えてから、ステップＳ２４に進み、記録を行ない、そうでない場合には、ステップＳ２１から直接、ステップＳ２４に進む。
【００９０】
ところで、上述した実施の形態においては、信号が符号化されて得られる所定フォーマットの符号列の構成を変更せずに、すなわち既存の符号列フォーマットの規格を遵守しながら、符号列中の一部データを０等のダミーデータに置き換えているが、このダミーデータ部分を除去し符号列を詰める（縮める）ようにすることも可能である。
【００９１】
すなわち、図２３は、上記図１４に示した符号列における量子化精度情報ＱＮの内のダミー量子化精度データ（０）、及び正規化係数情報ＮＰの内のダミー正規化係数データ（０）を削除して、残りの部分を詰めて配列した符号列を示している。この場合、ダミーデータのユニット数等の情報を符号列中に書き込んでおくことが必要とされ、例えば、符号化ユニット数ＵＮの代わりにダミー符号化ユニット数を書き込むようにしたり、あるいは未定義（Reserved）領域等にダミー符号化ユニット数を書き込むようなことが挙げられる。
【００９２】
図１４に示した例のように、ダミーデータを残しておく場合には、後で第２の符号列を用いて符号列データを補完する際に、ダミーデータ部分を第２の符号列で上書きするのに対して、図２３に示した例では、ダミーデータを削除した部分に第２の符号列を挿入する処理が必要となる。ただし、図２３の例では、符号列の長さが図１４のダミーデータの分だけ短くなるため、伝送あるいは記録するデータ量が少なくて済む利点がある。
【００９３】
さて、以上の説明からも明らかなように、本発明に係る実施の形態に用いられる符号化方法では、フレーム毎に正規化係数データ等のダミーデータを書き込むことで、再生帯域の狭い信号が再生されるが、この正規化係数データ等のダミーデータを用いた再生帯域を曲の各部分によって変化させることも可能である。
【００９４】
すなわち、例えば、曲の先頭部分と、いわゆる曲のサビの部分のフレームにおいては、広い帯域の再生が可能なように、正規化係数データ等のダミーデータを用いずに符号化を行ない、その他の部分のフレームでは、正規化係数データ等のダミーデータを用いて、狭帯域再生が行なわれるようにする。ここで、再生帯域の変化は何フレームかをかけて滑らかに行なわれるようにすれば、試聴時（一般には試し視聴時）の違和感を軽減することが可能である。
【００９５】
図２４は、この方法による、この試聴時の再生帯域の変化の様子を示したもので、曲の先頭部分Ｋａと、いわゆるサビの部分Ｋｂで、再生帯域が広くなっており、他の部分については、例えば中高域が上記ダミーデータにより再生できなくなっている。
【００９６】
これを一般化すると、試し視聴用符号列の第１の符号列を生成するに当たって、該試し視聴用の第１の符号列の再生信号の品質（音質や画質等）の制御パラメータの値が時間的に変化するようにするものである。この再生品質制御は、ダミーデータを符号列中に埋め込むことにより行われ、再生品質制御パラメータとしては、符号化された信号の帯域幅とすることが挙げられる。また、信号が符号化されて得られる所定フォーマットの符号列を再生する際に、上記所定フォーマットの符号列の少なくとも一部がダミーデータとされた第１の符号列に対して、上記ダミーデータの部分を補完する第２の符号列の部分符号列を用いて該ダミーデータの少なくとも一部を書き換え、上記第２の符号列の上記部分符号列により書き換えられた符号列を復号するような場合に、上記符号化においては、入力信号をスペクトル変換し、帯域分割して、各帯域毎の量子化精度情報、正規化係数情報、及びスペクトル係数情報を含む所定フォーマットの符号列を生成し、上記ダミーデータは、上記量子化精度情報、上記正規化係数情報、及び上記スペクトル係数情報の内の少なくとも１つの情報の少なくとも高域側の情報に対応するダミーデータであり、上記第２の符号列の部分符号列は、上記ダミーデータに対応する情報の少なくとも低域側の情報であって、帯域幅が時間的に変化することが挙げられる。
【００９７】
次に、図２５は、上記曲の各部分によって再生信号の品質を変化させるための符号化装置の具体例を示すブロック図である。この図２５において、制御手段１８４４は、曲の先頭部分、サビの部分であるという情報８４５を受け取り、これにより、信号成分符号化手段１８４２が正規化係数データ等のダミーデータを使用することによって、再生帯域が変化するように制御を行なう。
【００９８】
図２５の他の部分は、上記図２と同様である。すなわち、入力された信号波形８４１は変換手段１８４１によって信号周波数成分の信号８４２に変換された後、信号成分符号化手段１８４２によって各成分が符号化され、符号列生成手段１８４３によって符号列８４４が生成される。
【００９９】
図２６は、図２５の制御手段１８４４が再生帯域を変化させる処理の具体例の流れを示すフローチャートである。先ず、ステップＳ３１でフレーム番号Ｎを１とし、ステップＳ３２に進む。ステップＳ３２で、現フレームは曲の先頭部分やサビの部分といった広帯域再生区間であるかどうかを判断し、もしそうであれば、ステップＳ３３で広帯域再生が行なわれるように正規化係数データ等のダミーデータを用いないで符号化を行ない、ステップＳ３７に進み、もしそうでなければ、ステップＳ３４に進む。ステップＳ３４で、現フレームは広帯域再生区間の前後の帯域補間区間であるかどうかを判断し、もしそうであれば、ステップＳ３５で再生帯域が徐々に変化するように正規化係数データ等のダミーデータを用いて符号化を行ない、ステップＳ３７に進み、もしそうでなければ、ステップＳ３６に進む。ステップＳ３６では、正規化係数データ等のダミーデータを用いて、狭帯域再生が行なわれるように符号化を行ない、ステップＳ３７に進む。ステップＳ３７では、現フレームが最終フレームであるかどうかの判断を行ない、もしそうであれば処理を終了し、そうでなければ、ステップＳ３８でフレーム番号Ｎの値を１だけ増やして次のフレームに進み、ステップＳ３２の処理に戻る。
【０１００】
なお、ここでは、各フレームでの再生帯域の制御に、正規化係数データ等のダミーデータを使用する方法を用いて説明を行なったが、再生帯域の制御には、例えば、本件発明者等により先に提案された特開平１０−１３５９４４号公報の技術において述べられているように、高帯域側を暗号化する方法を用いても良い。図２７は、上記特開平１０−１３５９４４号公報に述べられているのと同様の方法で各フレームの高域側を暗号化する方法を示した図である。この図２７の具体例では、高域側のスペクトル係数情報ＳＰＨ 、高域側の正規化係数情報ＮＰＨ 、高域側の量子化精度情報ＱＮＨ 、及びその符号化ユニット数ＵＮが暗号化されている。
【０１０１】
このようにして帯域制限して試聴できる帯域幅を図２４のように時間的に変化させることにより、本発明の実施の形態の別の方法が可能となり、やはり曲の音質と内容を確認してから、暗号を復号することにより、高音質で曲を楽しむことが可能となる。
【０１０２】
さて、以上、本発明に係る実施の形態における試し視聴と、それを高品質化する方法の例について述べたが、以下に、本発明の実施の形態に用いられるコンテンツ供給システムあるいはコンテンツ再生供給システムについて説明する。
【０１０３】
図２８は、本発明の実施の形態に用いられるコンテンツ供給システムを説明するための図で、ここでは、コンテンツを蓄積・管理しているセンタ（コンテンツ供給センタ）１８６５と、各ユーザが使用するパーソナルコンピュータ等のユーザ端末１８６１〜１８６４とがネットワーク（８６１〜８６７）で結合されている様子を示しており、各ユーザ端末１８６１〜１８６４はセンタ１８６５と直結している。なお、上記ユーザ端末としては、汎用のパーソナルコンピュータに限定されず、ネットワーク接続機能付きのテレビジョン受像器、受信装置、セットトップボックス、家庭用ゲーム機器、ＰＤＡ、あるいはその他の各種ディジタル家電製品やディジタル機器等が使用可能である。
【０１０４】
図２９は各ユーザ端末の具体例を表すブロック図である。このユーザ端末はセンタや他のユーザ端末と信号８８１により通信を行なう通信手段１８８１と、それらを制御する制御手段１８８２を持つ。また、センタから送られてきたダミーデータを使った試聴用データ（第１の符号列）を記録できる記録手段１８８４と再生手段１８８５を持つ。各ユーザはこれにより、センタから送られてきた試聴用データを何回でも試聴することが可能であり、例えば、夜中に次々とセンタから送られて来た試聴用データをバック・グラウンド・ミュージックとして、昼間、比較的低音質で再生するようにしてもよい。
【０１０５】
一方、このユーザ端末は、信号合成手段１８８６と書き込み手段１８８７とを持ち、ダミーデータの含まれた試聴用データ（第１の符号列）と、ダミーでない真の正規化係数情報等からなる高音質化データ（第２の符号列）を合成して、高音質のオーディオ信号を再生手段１８８５から再生したり、書き込み手段１８８７を通じて、記録媒体１８８８に記録することができる。上記高音質化データは、ユーザが特定の音楽が気に入った場合に制御手段１８８２を通じて購入するもので、センタからは暗号化されて送られて来て、一旦、やはり記録手段１８８４に記録された後、暗号化解除手段１８８３に送られる。
【０１０６】
暗号解除手段１８８３は制御手段１８８２から送られてきた復号鍵８９２を使用して、暗号化された高音質化データ８８６の暗号化を解除し、信号合成手段１８８６に送る。なお、暗号解除手段１８８３、信号合成手段１８８６、書き込み手段１８８７および再生手段１８８５はハードウェア的に一体化されていることが、データの保護の観点からは望ましい。
【０１０７】
図３０は、図２９の制御手段の具体例を示すブロック図である。この制御手段は、ＣＰＵ１８９２とメモリ１８９３と入出力手段１８９１の他に権利情報格納手段１８９４を持ち、この権利情報格納手段１８９４中にはトークン情報が格納されている。このトークン情報は予めユーザが代金を払って購入したもので、曲の購入の度に、そのトークン情報は減らされていく。このような権利情報格納手段１８９４は、例えば、ＩＣカードを使用して実現することが可能である。なお、各曲の高音質化、即ち、その曲の購入の決済方法は、このようなプリペイド方式以外でももちろん良く、例えば、クレジット・カード方式であっても良い。
【０１０８】
なお、図２８の具体例では、ダミーデータの含まれた試聴用データ（第１の符号列）の配布は高音質化データと同じネットワークを使用して行なわれているが、これは必ずしも必要ではなく、大容量のデータを送信しやすい放送やＣＤ−ＲＯＭによる配布であっても良い。
【０１０９】
また、センタからユーザ端末への試聴用データ（第１の符号列）の配信がネットワーク等を使用して個別に行なわれる場合には、センタ側にデータベースを設け、ユーザが高音質化データを購入したジャンルの曲の試聴用データをそのユーザに対して集中的に送信する様にしてもよい。
【０１１０】
このように、本発明の実施の形態のコンテンツ供給システムでは、センタから試し視聴用のコンテンツ・データ（第１の符号列）をユーザ側の端末に無料または低価格で送出し、ユーザ側の端末は試し視聴用のコンテンツを流し、ユーザはその中から気に入ったコンテンツのみの高音質化データ（第２の符号列）を選択して購入し、高品質で再生できるようにする。なお、この試し試聴用のコンテンツの受け取りは無料または低価格の会員制によるものであってもよい。
【０１１１】
次に、上述したようなコンテンツ供給システムの具体的な適用例として、特に音楽コンテンツの販売を促進し得るようなコンテンツ再生供給システムについて説明する。
【０１１２】
図３１は、本発明の実施の形態が適用されるコンテンツ再生供給システムの概略構成を示す図である。この図３１において、コンテンツを蓄積・管理しているセンタ（コンテンツ供給センタ）１９０１と、コンテンツを再生・受信するための再生・受信装置１９０２とは、インターネットのようなネットワーク等で結合されている。再生・受信装置１９０２は、センタ１９０１から供給されるデータ（符号列）９０１を受信し、必要に応じて復号して、再生信号（例えば音楽等の音響波形信号）をスピーカ１９０３等に送る。センタ１９０１から供給されるデータ９０１には、上述したような試し視聴用のデータ（第１の符号列）が含まれており、再生・受信装置１９０２は、この試し視聴用のデータ（第１の符号列）を再生し、スピーカ１９０３に送る。
【０１１３】
再生・受信装置１９０２としては、上述したようなパーソナルコンピュータ等のユーザ端末が挙げられ、具体的には例えば上記図２９、図３０と共に説明した構成を用いることができる。ユーザはスピーカ１９０３からの試し聞きの音（音楽の曲等）を聞きながら、高品質化（高音質化）を望むコンテンツ（曲等）を決定して、試聴中あるいは試聴後にセンタ１９０１に対して、高品質化のための追加データ（第２の符号列）を要求あるいは発注し、センタ１９０１は、要求あるいは発注された高品質化データ（コンテンツ追加データ、第２の符号列）を再生・受信装置１９０２に対して送信する。このとき、試し視聴用のコンテンツデータファイルと高品質化用のコンテンツ追加データファイルとの対応をとるために、例えば図３２に示すように、ヘッダ部分に識別情報（ＩＤ）を入れておくことが望ましい。
【０１１４】
この図３２において、試し視聴用ファイル１０のヘッダ領域には、例えば、コンテンツデータＩＤフィールド１１、エンコーダＩＤフィールド１２、及びエンコードナンバ（番号）フィールド１３が少なくとも設けられ、また、高品質化データファイル２０のヘッダ領域には、例えば、追加データＩＤフィールド２１、エンコーダＩＤフィールド２２、エンコードナンバ（番号）フィールド２３、及びサブエンコードＩＤフィールド２４が少なくとも設けられている。ここで、コンテンツデータＩＤ、追加データＩＤは、ファイル内のデータが試し視聴用のコンテンツデータなのか、高品質化用のコンテンツ追加データなのかを区別するための情報である。エンコーダＩＤは符号化を行ったエンコーダを区別するためのＩＤであり、エンコードナンバ（番号）はそのエンコーダでエンコードされた順番を示す数値であり、これらを組み合わせてコンテンツデータを特定できるようにしている。試し視聴用ファイル１０とそれに対応する高品質化データファイル２０との組あるいは対には、同一のエンコーダＩＤ、及びエンコードナンバ（番号）がそれぞれ付されることにより、対応関係がとられるようになっている。
【０１１５】
さらに、高品質化データファイル２０のヘッダ領域にのみサブエンコードＩＤが付加されており、これは、種々の再生帯域を与えるコンテンツ追加データの種類を識別するためのものである。すなわち、例えば上述したように、一部がダミーデータで置き換えられた試し視聴用のコンテンツデータ（第１の符号列）に対して、このダミーデータ部分を書き換える真のデータである追加データ（第２の符号列）として、ダミーデータの全てに対応する追加データのみならず、ダミーデータの一部分に対応する追加データを用いることもでき、再生帯域を異ならせる種々の追加データを用いることができる。このような種々の追加データを区別するために、上記サブエンコードＩＤを用いることができる。
【０１１６】
なお、図３２の試し視聴用ファイル１０の他の部分については、例えば前述した図１４、図２３、図２７等と同様の構成にすればよく、また、図３２の高品質化データファイル２０の他の部分については、例えば前述した図１８、図２０等と同様の構成とすればよい。
【０１１７】
以上の実施の形態のコンテンツ再生供給システムは、コンテンツが符号化されて得られる符号列の一部が再生可能とされた試し視聴用のデータを供給するコンテンツ供給センタ（センタ１９０１）と、コンテンツ供給センタからの試し視聴用のデータ（第１の符号列）を受信して再生する受信再生装置（再生・受信装置１９０２）とを有し、受信再生装置は、試し視聴用のデータを再生中にコンテンツ供給センタに高品質化の要求を送ることにより、対応するコンテンツの試し視聴用のデータを高品質化するためのコンテンツ追加データが上記コンテンツ供給センタから供給される。ここで、上記試し視聴用のデータは、コンテンツが符号化されて得られる所定フォーマットの符号列の一部の情報がダミーデータに置き換えられた第１の符号列のデータであり、上記コンテンツ追加データは、上記第１の符号列の上記ダミーデータの部分を補完する第２の符号列のデータであることが挙げられる。
【０１１８】
次に、図３３は、試し視聴しているコンテンツを購入する場合の手順を説明するためのフローチャートである。この図３３の例では、上記図３１の再生・受信装置１９０２を用いて、オーディオコンテンツの曲を試し聞きしている途中に、気に入った曲を指示して高音質化する（センタ１９０１より高音質化データを入手する）場合について示している。
【０１１９】
この図３３の最初のステップＳ７１では、ユーザが上記再生・受信装置１９０２を操作すること等により試し聞き再生をスタートしている。この試し聞き再生の具体例としては、放送等のようにセンタから送られてくる試し聞き用のデータを略々リアルタイムで再生したり、夜中等の空き時間にセンタからまとめて送られてくる試し聞き用のデータをハードディスク等の蓄積媒体に蓄積しておき、蓄積された順に逐次再生することが挙げられる。また、他の試し聞き用データの入手方法も考えられ、例えば、衛生放送や地上波ディジタル放送等により試し聞き用のデータを受信して蓄積媒体に蓄積しておいたり、無料で配布されたＣＤ−ＲＯＭ等の記録媒体を再生するようにしてもよい。
【０１２０】
ところで、例えばＢＧＭ（バックグラウンドミュージック）的に試し聞きされる曲として、曲の選定や再生順序について、センタ側から制御を行うことが挙げられる。これは、新曲のプロモーションや、ユーザの好みに応じた推薦曲の提供等のため、試し聞きの曲の選定、再生順序、音質、時間長、試し聞きの箇所等をどのようなものにするかをセンタ側でコントロールしたい場合に有用である。また、同じ曲を複数回順番を変えて再生することで、少ないデータ量で長時間のＢＧＭ再生が行えるという利点もある。図３４は、このようなセンタ側からユーザ側での再生曲をコントロールする場合の一例を説明するためのものである。この図３４に示す例では、曲ＴＡ 、ＴＢ 、ＴＣ について、再生順序に従う複数の位置に配置することで、再生の順番を変えて複数回再生することができる。図３１のセンタ１９０１からは、再生・受信装置１９０２に対して、再生指示データあるいは再生制御情報として、再生順序に従ったそれぞれの曲の識別情報、例えば上記エンコーダＩＤ及びエンコードナンバの組の列あるいはテーブルを送ることにより、既にハードディスク等の蓄積媒体に蓄えられている試し聞きコンテンツデータを順次指定して再生制御することができる。また、特にユーザに推薦したい曲等については、再生曲の帯域あるいは時間の一部を高音質化するようなコンテンツ追加データを送ることで、ユーザ側での試し聞きの曲の再生音質や高音質化の箇所をセンタ側で決めることができる。このように、センタ側からユーザ端末（再生・受信装置１９０２）側での試し聞きの曲の再生を制御することにより、例えばユーザにとって好みの曲が予め選んで再生され、ＢＧＭ（バックグラウンドミュージック）としての使用価値が高まり、また、ユーザの購入したくなる曲が多く再生されることにもなり、販売の促進にも貢献し得る。
【０１２１】
なお、センタ側でのユーザの好みの曲の選定等を含む再生制御については、種々の方法が考えられるが、例えば、ユーザの過去のコンテンツ購入履歴、コンテンツ視聴履歴、ユーザに対する質問の回答内容、その他のユーザの個人情報等を利用して、再生するコンテンツの再生順序、回数、品質、時間等を制御すればよい。
【０１２２】
図３３に戻って、ステップＳ７１で試し聞きがスタートされた後、ステップＳ７２でその曲を高音質化するか否かが判別される。これは、ユーザが所定の操作を行うことで購入希望あるいは発注が出されたか否かを検出する処理であり、ＮＯのときにはステップＳ７３に、ＹＥＳのときにはステップＳ７７に進む。ステップＳ７３では、１曲の再生が終了し、次のステップＳ７４で次の曲の再生がスタートする。また、ステップＳ７７では、ユーザ側の上記再生・受信装置１９０２からセンタ１９０１に対して、高音質化のためのデータ（コンテンツ追加データ、第２の符号列）を送付してくれるように指示を送る。次のステップＳ７４で次の曲の再生がスタートした後には、ステップＳ７５で、前の再生曲を高音質化するか否かの判別がなされ、ＮＯのときにはステップＳ７６に進んで、現在再生中の曲を高音質化するか否かの判別がなされる。ステップＳ７５でＹＥＳと判別されたときにはステップＳ７８に進み、上記センタ１９０１にコンテンツ追加データ送付の指示を出す。また、ステップＳ７６でＹＥＳと判別されたときにはステップＳ７９に進み、上記センタ１９０１にコンテンツ追加データ送付の指示を出す。これらのステップＳ７７、Ｓ７８、Ｓ７９の指示は、該当する曲（コンテンツ）を識別するための例えば上記エンコーダＩＤ及びエンコードナンバの情報を同時に送ることで、上記センタ１９０１側で対応するコンテンツ追加データを特定することができる。ステップＳ７６でＮＯと判別されたときには、ステップＳ７３に戻り、以下、上述したようなステップＳ７３からステップＳ７６までの処理を繰り返す。
【０１２３】
なお、上記図３１〜図３４を参照しながら説明した例では、供給されるコンテンツとして、オーディオ信号特に音楽の曲を採用しているが、これに限定されず、ビデオコンテンツやその他種々のコンテンツにも適用可能である。
【０１２４】
次に、本発明の実施の形態が適用されるコンテンツ再生供給システムの他の具体例について、図３５を参照しながら説明する。
【０１２５】
図３５は、ミュージックショップ等のコンテンツ販売店や、イベント会場等において、センタ１９０１と例えばネットワーク結合された再生・伝送装置１９０４が設置されており、この再生・伝送装置１９０４は、客、ユーザ等が使用する携帯端末（携帯電話やＰＨＳ等）との間で無線により通信可能とされている。
【０１２６】
すなわち、図３５において、コンテンツを蓄積・管理しているセンタ（コンテンツ供給センタ）１９０１と、コンテンツを再生・伝送するための再生・伝送装置１９０４とは、インターネットのようなネットワーク等で結合されている。再生・伝送装置１９０４は、センタ１９０１から供給されるデータ（符号列）９０１を受信し、必要に応じて復号して、再生信号（例えば音楽等の音響波形信号）９０２をスピーカ１９０３等に送る。センタ１９０１から供給されるデータ９０１には、上述したような試し視聴用のデータ（第１の符号列）が含まれており、再生・伝送装置１９０４は、例えばいわゆるBluetooth 等の伝送方式を用いたデータ通信により、この試し視聴用のデータ（第１の符号列）９０４を携帯端末１９０５に伝送可能となっている。
【０１２７】
再生・伝送装置１９０４の構成としては、例えば上記図２９の構成を流用できるが、図２９の暗号解除手段１８８３、信号合成手段１８８６、書き込み手段１８８７は必須ではない。また、携帯端末１９０５に上記試し視聴用のデータを無線伝送するための構成が必要である。
【０１２８】
図３６は、再生・伝送装置１９０４と携帯端末１９０５との間の無線通信を実現するための一例としてのいわゆるBluetooth 無線伝送方式における階層構造を示す図である。この図３６において、上位の層（レイヤ）から順に、アプリケーションソフト１９２５，１９３０、適合プロトコル１９２４，１９２９、論理リンク管理層１９２３，１９２８、ベースバンド層１９２２，１９２７、物理層１９２１，１９２６とされている。送信側のアプリケーションソフト１９２５は、コンテンツを上記図２に示したような符号化構成により符号化を行う。符号化されたコンテンツは、適合プロトコル１９２４において、例えばＴＣＰ／ＩＰ等の伝送プロトコルが適用され、論理リンク管理層１９２３に送られる。論理リンク管理層１９２３は次のベースバンド層１９２２へのインターフェースとなるものであり、ベースバンド層１９２２では、送受信周波数の指定及び切り換え、時間軸スロットの管理、パケット送信や誤り訂正検出処理等が行われる。次の物理層１９２１では、例えば２．４ＧHzでスペクトル拡散されて電波放出が行われる。送出された電波９２１は、受信側の物理層１９２６に送られ、上述した送信側の各層１９２１〜１９２５のそれぞれ逆の処理が順次施されることにより、元のコンテンツが最上位層のアプリケーションソフト１９３０から得られる。なお、このようないわゆるBluetooth 無線伝送方式を図３５の再生・伝送装置１９０４と携帯端末１９０５との無線通信に適用する場合に、全ての層（レイヤ）を用いる必要はなく、例えば、センタ１９０１から再生・伝送装置１９０４に送られてきたデータが既に符号化されており、これを復号せずに携帯端末１９０５に送信する場合には、送信側のアプリケーションソフト１９２５は省略できる。
【０１２９】
次に、図３７は、上記図３５の携帯端末１９０５とセンタ１９０１との間の通信系の具体例を説明するための図である。この図３７の携帯端末１９１１としては、携帯電話、ＰＨＳ（Personal Handyphone System）等が挙げられる。携帯端末１９１１からセンタ１９１５への通信の際には、携帯端末１９１１からの電波が基地局１９１２に受信され、交換機１９１３を介し、インターネット網（ネットワーク）１９１４を介してセンタ１９１５に情報が送られる。また、センタ１９１５からの情報は、上記と逆の、インターネット網１９１４、交換機１９１３、基地局１９１２の経路をたどって、携帯端末１９１１に送られる。
【０１３０】
このような図３５〜図３７の構成を用いるコンテンツ再生供給システムにおいては、図３５のセンタ１９０１から試し視聴用のコンテンツデータ、例えば試し聞き用の曲のデータが、ミュージックショップ等のコンテンツ販売店やイベント会場等に設置された再生・伝送装置１９０４に送られて、必要に応じてハードディスク等の蓄積媒体に蓄積され、スピーカ１９０３から再生される。このとき、この再生された曲を聴いた客やユーザが携帯している携帯端末１９０５からの要求に応じて、再生・伝送装置１９０４は、現在再生中の曲、あるいは直前に再生した曲の試し聞きデータを無線で携帯端末１９０５に送信する。
【０１３１】
すなわち、図３８は、携帯端末１９０５からの要求に応じた試し聞きデータの供給を説明するためのフローチャートである。この図３８のステップＳ６１で携帯端末の所有者がスピーカから再生されている曲を試聴している状態において、ステップＳ６２では、携帯端末からの無線通信により、その再生中の曲の試し聞きデータを携帯端末に取り込みたい旨の要求が出されたか否かを判別している。このステップＳ６２でＮＯのときはステップＳ６３に進み、ＹＥＳのときはステップＳ６７に進む。ステップＳ６３で１曲の再生が終了し、次のステップＳ６４で次の曲の再生がスタートした後、ステップＳ６５で、前の再生曲の試し聞きデータの取り込み要求がなされたか否かが判別され、ＮＯのときにはステップＳ６６に進んで、現在再生中の曲の試し聞きデータの取り込み要求がなされたか否かが判別される。ステップＳ６２、Ｓ６５、Ｓ６６でそれぞれＹＥＳ、すなわち試し聞きデータの取り込み要求が与えられた場合には、ステップＳ６７、Ｓ６８、Ｓ６９で、それそれ対応する曲の試し聞きデータを再生・伝送装置１９０４から携帯端末１９０５に送信する旨の指示がなされる。ステップＳ６６でＮＯと判別されたときには、ステップＳ６３に戻り、以下、ステップＳ６３からステップＳ６６までの処理を繰り返す。なお、再生・伝送装置１９０４から携帯端末１９０５に送信するデータには、上述したようなコンテンツ（曲）を識別するための情報、例えば、エンコーダＩＤ及びエンコードナンバが含まれていることは勿論である。
【０１３２】
次に、図３９は、上記図３５のセンタ１９０１、再生伝送装置１９０４、携帯端末１９０５の間のデータの送受信を説明するための図である。
【０１３３】
この図３９において、センタ１９０１からのコンテンツ送信として、試し聞きデータａ１が、ミュージックショップ等のコンテンツ販売店やイベント会場等に設けられた再生・伝送装置１９０４に送られる。再生・伝送装置１９０４では、スピーカ１９０３から試し聞き音（曲）が再生される。この再生されている曲が気に入ったユーザは、所持している携帯電話等の携帯端末１９０５を操作して、再生・伝送装置１９０４に対して試し聞きデータを要求する。これは、例えばそのときの時刻データａ２等を再生・伝送装置１９０４に送信することにより、再生・伝送装置１９０４側で要求されている曲（コンテンツ）を特定できる。このとき、現在再生中の曲か、直前に再生された曲かの判別情報を付加することが好ましい。再生・伝送装置１９０４は、要求されたコンテンツ（この場合は試し聞きデータ）ａ３を携帯端末１９０５に送信する。次に、ユーザがそのコンテンツを購入したい、具体的には高音質化のためのデータ（追加コンテンツ）を入手したい場合には、ユーザは携帯端末１９０５からセンタ１９０１に高品質化の要求を送る。具体的には例えば、携帯端末１９０５から当該コンテンツを識別するためのコンテンツＩＤａ４をセンタ１９０１に送る。これを受信したセンタ１９０１は、該当するコンテンツの高音質化のためのデータ（追加コンテンツａ５）を携帯端末１９０５に送信する。
【０１３４】
これによって、ミュージックショップ等のコンテンツ販売店やイベント会場等で耳にした曲の試聴用のデータ（第１の符号列）をその場で入手することができる。次に、その曲の高音質のデータを入手（購入）したい場合には、携帯端末から直接センタをアクセスして、高音質化データ（コンテンツ追加データ、第２の符号列）を送信してもらうことができる。このとき、試し聞きデータに付加されたコンテンツ識別情報（例えばエンコーダＩＤ及びエンコードナンバ）を指定することで、試し聞きデータに対応する高音質化データを正確に特定することができる。
【０１３５】
すなわち、図３５に概略構成を示した実施の形態においては、コンテンツが符号化されて得られる符号列の一部の情報がダミーデータに置き換えられた第１の符号列の信号と、上記ダミーデータの部分を補完する第２の符号列の信号とを供給するコンテンツ供給センタ（センタ１９０１）と、このコンテンツ供給センタからの上記第１の符号列のデータを受信し、得られた上記第１の符号列のデータを再生すると共に、再生された第１の符号列のデータを送出する機能を有するコンテンツ再生伝送装置（再生・伝送装置１９０４）と、このコンテンツ再生伝送装置からの第１の符号列のデータを受信する受信装置（携帯端末１９０５）とを有し、上記コンテンツ再生伝送装置から上記受信装置への上記第１の符号列のデータは無線により伝送され、上記コンテンツ再生伝送装置は、上記受信装置からの要求に応じて上記第１の符号列のデータを当該受信装置に送出する。また、上記受信装置（携帯端末１９０５）は、上記コンテンツ再生伝送装置（再生・伝送装置１９０４）から送信されて得られた第１の符号列のデータに対応する上記第２の符号列の信号を上記コンテンツ供給センタ（センタ１９０１）に要求し、該コンテンツ供給センタから送信される上記第２の符号列の信号を受信する機能を有する。
【０１３６】
ここで、コンテンツ再生伝送装置（再生・伝送装置１９０４）からの試し視聴用のデータ（第１の符号列）の送出は、受信装置（携帯端末１９０５）からの要求に応じて行う代わりに、再生された全てのコンテンツについての試し視聴用のデータ（第１の符号列）を送出するようにしてもよい。この場合、受信装置（携帯端末１９０５）側では、コンテンツ再生伝送装置（再生・伝送装置１９０４）から送出される全ての試し視聴用のデータの内からユーザが所望のものを選択して受信するようにする方法と、コンテンツ再生伝送装置から送出される全ての試し視聴用のデータを受信して受信装置のメモリ等に一時記憶しておき、後でユーザが取捨選択するような方法とが挙げられる。また、コンテンツ再生伝送装置（再生・伝送装置１９０４）の安全性、秘密性が保たれている場合には、スピーカ１９０３から再生する音は高音質のものとし、コンテンツ再生伝送装置から受信装置に送出するデータのみを試し視聴用のデータ（第１の符号列）とするようにしてもよい。購入時の決済方法については、図３０に示された場合と同様の方法が適用可能である。また、ここでは、ダミーデータを持つ試聴用データに対して高音質化データを購入させるようにしたが、もちろん、例えば、上記特開平１０−１３５９４４号公報に記載された技術にあるように、暗号化された高域データを解く鍵を購入するようにしても良い。即ち、図３５〜図３９と共に説明したコンテンツ供給システムでは、コンテンツ再生伝送装置（再生・伝送装置１９０４）からダウンロードした試し視聴用のコンテンツ・データを記録媒体に記録し、ユーザ側はそれらのコンテンツ・データを再生し、その中から気に入ったコンテンツのみを選択して鍵データを購入し、高品質で再生できるようにすればよい。また、コンテンツは、曲等のオーディオ信号に限定されず、ビデオ信号にも同様に適用可能である。
【０１３７】
次に、図４０は、本発明に係る実施の形態が用いられるコンテンツ供給システムのさらに他の例を説明するための図であり、このシステムでは先ず、コンビニエンスストアやいわゆるキヨスク等に設置された自動販売機等のコンテンツ供給端末１９４１から、無料または低価格で、例えばダミーデータを使用して狭帯域化した試聴用データ（第１の符号列）９４１を記録媒体１９４２に書き込み、これを再生端末１９４３に装着して再生を行なう。なお、この試し試聴用のコンテンツの受け取りは無料または低価格の会員制によるものであってもよい。
【０１３８】
図４１は、図４０の再生端末の具体例を表すブロック図で、記録媒体１９６８は図４１の記録媒体１９４２と同一のものである。また、この再生端末には後に説明するように記録機能も装備している。記録媒体に記録された試聴用データ（第１の符号列）は読み込み手段１９６６および再生手段１９６７を使用して、その内容を好きなだけ再生できる。ここで、もしユーザがこの曲を気に入った場合には、このユーザは制御手段１９６２の下、通信手段１９６１を通じて高音質化データ（第２の符号列）９６３を購入する。この高音質化データ９６３は、図２９の例と同様に暗号化が施されており、暗号解除手段１９６３を通じて暗号解除が行なわれ、その後、信号合成手段１９６４によって、一旦、読み込み手段１９６６を通じて記録媒体から読みだされたダミーデータを含んだ試聴用データと合成されて高音質化されたデータ９６７が書き込み手段１９６５を通じて記録媒体１９６８に書き込まれる。
【０１３９】
なお、データ保護の観点から、暗号解除手段１９６３、信号合成手段１９６４、書き込み手段１９６５はハードウェア的に一体化されていることが望ましい。
【０１４０】
購入時の決済方法については、図３０に示された場合と同様の方法が適用可能である。また、ここでは、ダミーデータを持つ試聴用データに対して高音質化データを購入させるようにしたが、もちろん、例えば、上記特開平１０−１３５９４４号公報に記載された技術にあるように、暗号化された高域データを解く鍵を購入するようにしても良い。即ち、図４０、図４１と共に説明したコンテンツ供給システムでは、キヨスク端末等から無料または低価格でダウンロードした試し視聴用のコンテンツ・データを記録媒体に記録し、ユーザ側はそれらのコンテンツ・データを再生し、その中から気に入ったコンテンツのみを選択して鍵データを購入し、高品質で再生できるようにする。
【０１４１】
なお、図４０の再生端末は試し試聴を行なうだけであれば、図４１の再生端末のように、通信手段１９６１、暗号解除手段１９６３、信号合成手段１９６４、書き込み手段１９６５等を持たなくても良く、通常の記録媒体１９４２の再生手段で十分に試聴を行なった後、図４１のような端末で高音質化を図るようにしても良い。また、以上の実施の形態では、符号化されたビットストリームを記録媒体に記録する場合について説明を行なったが、本発明の方法はビットストリームを伝送する場合にも適用可能であり、これにより、例えば、放送されているオーディオ信号を全帯域にわたって真の正規化係数を入手した聴取者のみに高音質再生ができるようにし、その他の聴取者に対してはその内容が十分把握できるが、比較的低音質の再生できるようにすることが可能である。
【０１４２】
以上説明した本発明のいくつかの実施の形態では、オーディオ信号を用いた場合を例にとって説明を行なったが、本発明は、画像信号に対しても適用することが可能である。即ち、例えば、画像信号を２次元ＤＣＴを用いて各ブロック毎に変換を行ない、それを多様な量子化テーブルを用いて量子化を行なう場合、ダミーの量子化テーブルとして高域成分を落としたものを指定しておき、これを高画質化する場合には高域成分を落とさない真の量子化テーブルに置き換えるという方法をとることにより、オーディオ信号の場合と同様の処理を行なうことが可能である。また、本発明は、符号列全体に暗号化が施され、再生時にその暗号を復号しながら再生するようなシステムにおいても、もちろん適用することが可能である。
【０１４３】
【発明の効果】
本発明に係るコンテンツ供給システムは、コンテンツが符号化されて得られる符号列の一部が再生可能とされた試し視聴用のデータを供給するコンテンツ供給センタと、上記コンテンツ供給センタからの試し視聴用のデータを受信し、受信された試し視聴用のデータを蓄積手段に蓄積し、蓄積手段に蓄積された複数の上記試し視聴用のデータを再生する受信再生装置とを有し、上記コンテンツ供給センタは、上記受信再生装置に対して、試し視聴用のデータの再生を制御する再生制御情報を送り、上記受信再生装置は、上記コンテンツ供給センタからの再生制御情報に応じて上記蓄積手段に蓄積された複数の上記試し視聴用のデータの再生が制御されることにより、センタ側からユーザ側の受信再生装置における試し視聴用のデータの再生を制御でき、例えばユーザの好みに合ったコンテンツを選んで、その再生順序、再生回数、再生品質、再生時間等を制御することによって、ユーザにとって好みの曲が予め選んで繰り返し再生され、ＢＧＭ（バックグラウンドミュージック）としての使用価値が高まり、また、ユーザの購入したくなる曲が多く再生されることにもなり、販売の促進にも貢献し得る。
【０１４４】
また、本発明に係るコンテンツ受信再生装置及び方法は、コンテンツが符号化されて得られる符号列の一部が再生可能とされた試し視聴用のデータを供給するコンテンツ供給センタからの試し視聴用のデータを受信し、受信された試し視聴用のデータを蓄積手段に蓄積し、蓄積された複数の上記試し視聴用のデータを再生するようにし、この視聴用のデータの再生は、上記コンテンツ供給センタからの再生制御情報に応じて制御されることにより、ユーザの好みに合った曲が自動的に再生される。
【０１４５】
ここで、上記試し視聴用のデータは、コンテンツが符号化されて得られる所定フォーマットの符号列の一部の情報がダミーデータに置き換えられた第１の符号列のデータであり、上記コンテンツ追加データは、上記第１の符号列の上記ダミーデータの部分を補完する第２の符号列のデータであることが挙げられ、これによって、コンテンツ（ソフトウェア）の内容を確認してから高品質再生に必要な情報を入手すべきかどうかを判断することが可能となり、また、暗号化を行なった場合と異なり、暗号解読等の不正な行為により高品質再生が行なわれる危険性が低くなり、より円滑なコンテンツの配布をすることが可能となる。
【図面の簡単な説明】
【図１】本発明の実施の形態の説明に供する光ディスク記録再生装置の概略構成を示すブロック図である。
【図２】本発明の実施の形態の説明に供する符号化装置の一例の概略構成を示すブロック図である。
【図３】図２の符号化装置の変換手段の具体例を示すブロック図である。
【図４】図２の符号化装置の信号成分符号化手段の具体例を示すブロック図である。
【図５】本発明の実施の形態の説明に供する復号装置の一例の概略構成を示すブロック図である。
【図６】図５の復号装置の逆変換手段の具体例を示すブロック図である。
【図７】図５の復号装置の信号成分復号手段の具体例を示すブロック図である。
【図８】本発明の実施の形態の説明に供する符号化方法を説明するための図である。
【図９】本発明の実施の形態の説明に供する符号化方法により得られた符号列の一例を説明するための図である。
【図１０】本発明の実施の形態の説明に供する符号化方法の他の例を説明するための図である。
【図１１】図１０と共に説明した符号化方法を実現するための信号成分符号化手段の一例を示すブロック図である。
【図１２】図１０と共に説明した符号化方法により得られた符号列を復号するための復号装置に用いられる信号成分復号手段の一例を示すブロック図である。
【図１３】図１０と共に説明した符号化方法により得られた符号列の一例を示す図である。
【図１４】本発明の実施の形態に用いられる符号化方法により得られた符号列の一例を示す図である。
【図１５】図１４と共に説明した符号化方法により得られた符号列を再生したときの再生信号のスペクトルの一例を示す図である。
【図１６】図１４と共に説明した符号化方法の他の例により得られた符号列を再生したときの再生信号のスペクトルの一例を示す図である。
【図１７】図１５と共に説明した符号化方法を実現するための再生装置の概略構成を示す図である。
【図１８】図１５と共に説明した符号化方法により得られた符号列のダミーデータを置き換えるための情報の一例を示す図である。
【図１９】本発明の実施の形態に用いられる記録装置の概略構成を示すブロック図である。
【図２０】本発明の他の実施の形態に用いられる符号化方法により得られた符号列のダミーデータを置き換えるための情報の一例を示す図である。
【図２１】本発明の実施の形態に用いられる再生方法を説明するためのフローチャートである。
【図２２】本発明の実施の形態に用いられる記録方法を説明するためのフローチャートである。
【図２３】本発明の実施の形態に用いられる他の符号化方法により得られた符号列の一例を示す図である。
【図２４】本発明の実施の形態に用いられる符号列の時間経過に伴う変化を説明するための図である。
【図２５】本発明の実施の形態に用いられる符号化装置の一例を示すブロック図である。
【図２６】本発明の実施の形態に用いられる符号化方法を説明するためのフローチャートである。
【図２７】本発明の実施の形態に用いられる他の符号化方法を説明するための図である。
【図２８】本発明の実施の形態となるコンテンツ供給システムを説明するためのブロック図である。
【図２９】図２８のコンテンツ供給システムに用いられるユーザ端末の一例を示すブロック図である。
【図３０】図２９のユーザ端末の制御手段の一例を示すブロック図である。
【図３１】本発明の実施の形態が適用されるコンテンツ再生供給システムを説明するためのブロック図である。
【図３２】試し視聴用のコンテンツデータファイルと高品質化用のコンテンツ追加データファイルのヘッダ構造の一例を説明するための図である。
【図３３】試し視聴しているコンテンツを購入する場合の手順を説明するためのフローチャートである。
【図３４】センタ側からユーザ側の再生曲をコントロールする一例を説明するための図である。
【図３５】本発明の実施の形態が適用されるコンテンツ再生供給システムの他の具体例の概略構成を示すブロック図である。
【図３６】再生・伝送装置と携帯端末との間の無線通信を実現するための一例における階層構造を示す図である。
【図３７】携帯端末とセンタとの間の通信系の具体例を説明するための図である。
【図３８】携帯端末からの要求に応じた試し聞きデータの供給を説明するためのフローチャートである。
【図３９】コンテンツ供給センタ、再生伝送装置、及び携帯端末の間のデータの送受信を説明するための図である。
【図４０】本発明のさらに他の実施の形態となるコンテンツ供給システムを説明するためのブロック図である。
【図４１】図３２のコンテンツ供給システムに用いられる再生端末を説明するためのブロック図である。
【符号の説明】
１８０１，１８２１  符号列分解手段、  １８０２，１８２２  符号列書き換え手段、  １８０３  信号成分復号手段、  １８０４  逆変換手段、  １８０５，１８２４，１８８２，１９６２  制御手段、  １８２３，１８８４  記録手段、  １８６１〜１８６４  ユーザ端末、  １８６５，１９０１，１９１５  コンテンツ供給センタ、  １８８１，１９６１  通信手段、  １８８３、１９６３  暗号解除手段、  １８８５，１９６７  再生手段、  １８８６，１９６４  信号合成手段、  １８８７，１９６５  書き込み手段、  １８８８，１９４２，１９６８  記録媒体、  １８９１  入出力手段、  １８９２  ＣＰＵ、  １８９３  メモリ、  １８９４  権利情報格納手段、  １９０２  再生・受信装置、  １９０３  スピーカ、  １９０４  再生・伝送装置、  １９０５，１９１１  携帯端末、  １９４１  コンテンツ供給端末、  １９４３  再生端末、  １９６６  読み込み手段
【図１】
0004496671.tif 000002
【図２】
0004496671.tif 000003
【図３】
0004496671.tif 000004
【図４】
0004496671.tif 000005
【図５】
0004496671.tif 000006
【図６】
0004496671.tif 000007
【図７】
0004496671.tif 000008
【図８】
0004496671.tif 000009
【図９】
0004496671.tif 000010
【図１０】
0004496671.tif 000011
【図１１】
0004496671.tif 000012
【図１２】
0004496671.tif 000013
【図１３】
0004496671.tif 000014
【図１４】
0004496671.tif 000015
【図１５】
0004496671.tif 000016
【図１６】
0004496671.tif 000017
【図１７】
0004496671.tif 000018
【図１８】
0004496671.tif 000019
【図１９】
0004496671.tif 000020
【図２０】
0004496671.tif 000021
【図２１】
0004496671.tif 000022
【図２２】
0004496671.tif 000023
【図２３】
0004496671.tif 000024
【図２４】
0004496671.tif 000025
【図２５】
0004496671.tif 000026
【図２６】
0004496671.tif 000027
【図２７】
0004496671.tif 000028
【図２８】
0004496671.tif 000029
【図２９】
0004496671.tif 000030
【図３０】
0004496671.tif 000031
【図３１】
0004496671.tif 000032
【図３２】
0004496671.tif 000033
【図３３】
0004496671.tif 000034
【図３４】
0004496671.tif 000035
【図３５】
0004496671.tif 000036
【図３６】
0004496671.tif 000037
【図３７】
0004496671.tif 000038
【図３８】
0004496671.tif 000039
【図３９】
0004496671.tif 000040
【図４０】
0004496671.tif 000041
【図４１】
0004496671.tif 000042